(57)【要約】【課題】任意の使用環境下においてフランジバックのずれを軽減する。【解決手段】撮像装置は、撮像素子とレンズマウントを有し、レンズマウントにレンズ装置を装着可能な撮像装置であって、撮像素子の周辺の温度を取得する温度取得手段と、撮像素子の周辺の温度と撮像装置のフランジバックとの関係を記憶する記憶手段と、使用温度を入力するための入力手段と、フランジバック調整モードへの切り替えを制御するモード切り替え手段と、表示手段と、フランジバックの調整値を算出する調整値算出手段と、を備える。調整値算出手段は、フランジバック調整モードにおいて、入力手段により入力される使用温度、温度取得手段により取得される温度、及び記憶手段により記憶される関係に基づき、フランジバックの調整値を算出し、フランジバックの調整値に関する情報が表示手段に表示される。【選択図】図３３
2019207367.tif 000002
【特許請求の範囲】
【請求項１】
撮像素子とレンズマウントを有し、前記レンズマウントにレンズ装置を装着可能な撮像装置であって、
前記撮像素子の周辺の温度を取得する温度取得手段と、
前記撮像素子の周辺の温度と前記撮像装置のフランジバックとの関係を記憶する記憶手段と、
使用温度を入力するための入力手段と、
表示手段と、
フランジバックの調整値を算出する調整値算出手段と、を備え、
前記調整値算出手段は、
フランジバック調整モードにおいて、前記入力手段により入力される使用温度、前記温度取得手段により取得される温度、及び前記記憶手段により記憶される関係に基づき、前記フランジバックの調整値を算出し、
前記表示手段は、前記フランジバックの調整値に関する情報を表示する、
ことを特徴とする撮像装置。
【請求項２】
前記調整値算出手段は、
前記使用温度から使用時における前記撮像素子の周辺の温度の予測値を求め、
前記予測値から現在における前記撮像素子の周辺の温度を減算した値に温度係数を乗算した値を、前記フランジバックの調整値とする、
ことを特徴とする請求項１に記載の撮像装置。
【請求項３】
前記温度係数は、前記撮像素子の周辺の構造に基づき、前記関係として予め前記記憶手段内に記憶される、
ことを特徴とする請求項２に記載の撮像装置。
【請求項４】
前記撮像装置は、前記フランジバックの複数の調整位置を備え、
前記表示手段は、前記フランジバックの調整位置毎に前記調整値算出手段により算出された前記フランジバックの調整値を表示する、
ことを特徴とする請求項１乃至３のいずれか１項に記載の撮像装置。
【請求項５】
前記表示手段は、前記複数の調整位置における前記フランジバックが正しい値である場合に、前記フランジバックの調整が完了した旨を表示する
ことを特徴とする請求項４に記載の撮像装置。
【請求項６】
前記表示手段は、前記フランジバック調整モードに切り替えられた場合に、前記使用温度の入力を求める画面を表示する、
ことを特徴とする請求項１乃至５のいずれか１項に記載の撮像装置。
【請求項７】
前記レンズ装置が前記フランジバックの調整に適した鏡筒好適状態にあるか否かを判断する判断手段をさらに備え、
前記鏡筒好適状態にある場合に、前記調整値算出手段は、前記レンズ装置が前記撮像装置に装着された状態で前記フランジバックの調整値を算出する、
ことを特徴とする請求項１乃至６のいずれか１項に記載の撮像装置。
【請求項８】
前記撮像素子の周辺の温度を制御する温度制御手段を備え、
前記温度制御手段は、前記入力手段により入力される使用温度、前記温度取得手段により取得される温度、及び前記記憶手段により記憶される関係に基づき、前記撮像素子の周辺の温度を制御する、
ことを特徴とする請求項１乃至７のいずれか１項に記載の撮像装置。
【請求項９】
前記温度制御手段は、前記温度取得手段により取得される温度が一定範囲内に収まるように、前記撮像素子の周辺の温度を制御する、
ことを特徴とする請求項８に記載の撮像装置。
【請求項１０】
前記温度制御手段は、前記温度取得手段により取得される温度が前記一定範囲内に収まるように、ファンの回転を制御する、
ことを特徴とする請求項９に記載の撮像装置。
【請求項１１】
前記温度制御手段は、前記撮像装置の起動時に、前記温度取得手段により取得される温度が前記一定範囲内に収まるまで、前記ファンの回転を停止する、
ことを特徴とする請求項９又は１０に記載の撮像装置。
【請求項１２】
前記温度制御手段は、前記温度取得手段により取得される温度が前記一定範囲内の上限を超えたときに前記ファンの回転数を第１の値とし、前記温度センサにより検出される温度が前記一定範囲内の下限を下回ったときに前記ファンの回転数を前記第１の値よりも小さい第２の値とする、
ことを特徴とする請求項９乃至１１のいずれか１項に記載の撮像装置。
【請求項１３】
前記温度制御手段は、前記温度取得手段により取得される温度が前記一定範囲内に収まるように、前記撮像素子の読み出し速度、及び前記撮像素子に流れる電流値の少なくとも１つを制御する、
ことを特徴とする請求項９乃至１２のいずれか１項に記載の撮像装置。
【請求項１４】
前記入力手段により入力される使用温度に基づき、前記一定範囲の下限、及び前記一定範囲の上限を決定する閾値決定手段をさらに備える、
ことを特徴とする請求項９乃至１３のいずれか１項に記載の撮像装置。
【請求項１５】
前記表示手段は、前記温度取得手段により取得される温度が前記一定範囲内に収まらない場合に、前記フランジバックの調整に適していない状態である旨を表示する、
ことを特徴とする請求項９乃至１４のいずれか１項に記載の撮像装置。
【請求項１６】
前記表示手段は、前記温度取得手段により取得される温度が前記一定範囲内に収まる場合に、前記フランジバックの調整を行うか否かを確認する表示を行う、
ことを特徴とする請求項９乃至１５のいずれか１項に記載の撮像装置。
【請求項１７】
前記撮像装置は、前記レンズ装置に代えて前記フランジバックを測定するフランジバック測定器を装着可能である、
ことを特徴とする請求項１６に記載の撮像装置。
【請求項１８】
前記フランジバック測定器の装着が確認され、かつ前記フランジバックの調整を行う旨が確認された場合に、前記調整値算出手段は、前記フランジバック測定器による前記フランジバックの測定値に基づき、前記フランジバックの調整値を算出する、
ことを特徴とする請求項１７に記載の撮像装置。
【請求項１９】
前記表示手段は、前記調整値算出手段により算出された前記フランジバックの調整値を表示する、
ことを特徴とする請求項１８に記載の撮像装置。
【請求項２０】
前記表示手段は、前記温度取得手段により取得される温度が前記一定範囲の下限よりも低い閾値以上になった場合に、当該温度が間もなく前記一定範囲内に入る旨の表示を行う、
ことを特徴とする請求項９乃至１９のいずれか１項に記載の撮像装置。
【請求項２１】
前記温度取得手段により取得される温度が前記一定範囲の上限よりも低い閾値以上になった場合に、前記表示手段は、当該温度が間もなく前記一定範囲から外れる旨の表示を行う、
ことを特徴とする請求項９乃至２０のいずれか１項に記載の撮像装置。
【請求項２２】
前記温度取得手段により取得される温度が前記一定範囲の下限よりも高い閾値以下になった場合に、前記表示手段は、当該温度が間もなく前記一定範囲内に入る旨の表示を行う、
ことを特徴とする請求項９乃至２１のいずれか１項に記載の撮像装置。
【請求項２３】
前記温度取得手段は、前記撮像素子の周辺に配置される温度センサを用いて前記撮像素子の周辺の温度を取得する、
ことを特徴とする請求項１乃至２２のいずれか１項に記載の撮像装置。
【請求項２４】
撮像素子とレンズマウントを有し、前記レンズマウントにレンズ装置を装着可能な撮像装置の制御方法であって、
前記撮像素子の温度を取得する温度取得工程と、
使用温度を入力するための入力工程と、
フランジバック調整モードへの切り替えを制御するモード切り替え工程と、
フランジバックの調整値を算出する調整値算出工程と、
前記フランジバックの調整値に関する情報を表示する工程と、を備え、
前記調整値算出工程では、
フランジバック調整モードにおいて、前記入力工程により入力される使用温度、前記温度取得工程により取得される温度、及び前記撮像素子の温度と前記撮像装置のフランジバックとの関係に基づき、前記調整値を算出する、
ことを特徴とする制御方法。
【請求項２５】
請求項１乃至２３のいずれか１項に記載の撮像装置の各手段としてコンピュータを機能させるためのプログラム。
【発明の詳細な説明】
【技術分野】
【０００１】
本発明は、使用環境に応じたフランジバック調整を行うことが可能な撮像装置、その制御方法、及びプログラムに関する。
【背景技術】
【０００２】
近年、レンズ交換式の撮像装置は、当該撮像装置に使用される撮像素子の高画素化及び大型化に伴い、フランジバックの距離及び傾きに対して高い精度が要求されている。ここで、フランジバックとは、レンズ鏡筒が装着される撮像装置本体のマウント面から撮像素子までの距離のことである。このような状況から、例えば、特許文献１に開示されるように、電気的にフランジバック調整を行う機能を備えた撮像装置が開発されている。
【先行技術文献】
【特許文献】
【０００３】
【特許文献１】特開２０００−１２１９１１号公報
【発明の概要】
【発明が解決しようとする課題】
【０００４】
しかし、特許文献１の撮像装置では、使用環境に基づくフランジバック調整が行われないため、同じ調整値でも、使用環境に応じて実際のフランジバックが異なる。これは、使用環境によっては、フランジバックの調整値と実際のフランジバックとの間に誤差が発生し、高精度なピント調整ができないことを意味する。また、この誤差をなくすためには、ユーザが手動でフランジバック調整を行わなければならず、ユーザの負担が増大する。
【０００５】
一方、寒冷地、猛暑地などの屋外が使用環境となる場合、ユーザが当該使用環境においてフランジバック調整を行うことは現実的に不可能である。このような場合、フランジバック調整は、室内で行われるのが一般的であるが、室内環境と、撮影が実際に行われる使用環境とでは、環境条件が大きく異なる。従って、フランジバック調整が行われたとしても、室内と屋外との温度差により、使用環境下での実際のフランジバックが正しい値からずれ、高精度なピント調整が行えなくなる。
【０００６】
本発明は、ユーザが想定する任意の使用環境下での使用時にフランジバックのずれを軽減する撮像装置、その制御方法、及びプログラムを提案することを目的とする。
【課題を解決するための手段】
【０００７】
本発明の例に係る撮像装置は、撮像素子とレンズマウントを有し、前記レンズマウントにレンズ装置を装着可能な撮像装置であって、前記撮像素子の周辺の温度を取得する温度取得手段と、前記撮像素子の周辺の温度と前記撮像装置のフランジバックとの関係を記憶する記憶手段と、使用温度を入力するための入力手段と、表示手段と、フランジバックの調整値を算出する調整値算出手段と、を備え、前記調整値算出手段は、フランジバック調整モードにおいて、前記入力手段により入力される使用温度、前記温度取得手段により取得される温度、及び前記記憶手段により記憶される関係に基づき、前記フランジバックの調整値を算出し、前記フランジバックの調整値に関する情報を前記表示手段に表示する、ことを特徴とする。
【発明の効果】
【０００８】
本発明によれば、ユーザが想定する任意の使用環境下での使用時にフランジバックのずれを軽減する撮像装置、その制御方法、及びプログラムを実現できる。
【図面の簡単な説明】
【０００９】
【図１】撮像装置とレンズ装置を示す図である。
【図２】撮像装置の例を示す図である。
【図３】撮像装置の分解斜視図である。
【図４】メインユニットを示す図である。
【図５】ファンダクトユニットを示す図である。
【図６】ファンを示す図である。
【図７】ファンダクトユニットの分解斜視図である。
【図８】撮像素子の放熱構造を説明する図である。
【図９】正面カバーユニットを示す図である。
【図１０】正面カバーユニットの分解斜視図である。
【図１１】正面カバーユニットの正面図である。
【図１２】フロントベースの熱膨張を示す図である。
【図１３】第１のフランジバック調整機構を示す図である。
【図１４】異なる板厚を有する複数のスペーサを示す図である。
【図１５】スペーサが挿入された状態を示す図である。
【図１６】第２のフランジバック調整機構を示す図である。
【図１７】第２のフランジバック調整機構を示す図である。
【図１８】調整ビスと回転角の指標を示す図である。
【図１９】調整ビスを締結した状態を示す図である。
【図２０】調整ビスを緩めた状態を示す図である。
【図２１】フランジバック測定器を示す図である。
【図２２】フランジバック測定器と撮像装置本体とを示す図である。
【図２３】撮像面の測定ポイントを示す図である。
【図２４】サーミスタ出力値とフランジバックの変化量を示す図である。
【図２５】フランジバック調整モードの動作を示すフローチャート。
【図２６】フランジバック調整モードでの表示画面を示す図である。
【図２７】表示画面に表示される調整位置と調整値を示す図である。
【図２８】サーミスタ出力値とフランジバックの変化量を示す図である。
【図２９】サーミスタ出力値とフランジバックの変化量を示す図である。
【図３０】フランジバック調整モードでの表示画面を示す図である。
【図３１】フランジバック調整モードの動作を示すフローチャート。
【図３２】使用温度を入力するための表示画面を示す図である。
【図３３】フランジバック調整モードの動作を示すフローチャート。
【図３４】センサ温度とフランジバックとの関係を示す図である。
【図３５】フランジバックの調整値の表示画面を示す図である。
【図３６】表示画面に表示される調整位置と調整値を示す図である。
【図３７】第２のフランジバック調整機構による調整前および調整後の図である。
【図３８】撮像装置本体のレンズ着脱に関わる外観斜視図である。
【図３９】撮像装置本体のマウントユニットを引き出した状態の外観斜視図である。
【図４０】正面カバーユニットを示す図である。
【図４１】撮像素子ユニットの分解斜視図である。
【図４２】撮像素子ユニットの分解斜視図である。
【図４３】正面カバーユニットへの外観部品の取り付けに関する分解斜視図である。
【図４４】マウントユニットの分解斜視図である。
【図４５】マウントユニットの取り付けに関する分解斜視図である。
【図４６】正面カバーユニットの調整板の挿抜状態を示す図である。
【図４７】正面カバーユニットの断面を示す図である。
【図４８】正面カバーユニットのスライド機構を示す図である。
【図４９】調整板の挿抜空間及びスライド脚部の位置関係を示す図である。
【図５０】調整板の接地面の周辺を示す拡大図である。
【発明を実施するための形態】
【００１０】
以下、図面を参照ながら本発明の実施形態を説明する。
【００１１】
（システム構成例）
図１は、撮像装置とレンズ装置のシステム構成例を示す。
このシステム構成例は、レンズマウントを有する撮像装置と、撮像装置のレンズマウントに装着可能なレンズ装置と、を備える。
【００１２】
撮像装置本体１００は、撮像素子２００と、ＣＰＵ１５０と、ＲＯＭ１５１と、ＲＡＭ１５２と、記録部１５３と、温度センサ１５４と、操作部１５５と、ファン３００と、カメラ電気通信接点部ユニット６００と、を備える。
【００１３】
撮像素子２００は、例えば、温度センサ１５４と共に後述するセンサ基板２５８上に実装される。撮像素子２００は、ＣＣＤ、ＣＭＯＳイメージセンサなどである。撮影時において、光学像は、レンズ装置としてのレンズ鏡筒９００を介して、撮像素子２００に結像される。撮像素子２００は、光学像に応じたアナログ信号を出力する。このアナログ信号は、Ａ／Ｄ変換器によりデジタル信号に変換された後に画像データとして記憶される。
【００１４】
ＣＰＵ１５０、ＲＯＭ１５１、及びＲＡＭ１５２は、後述するメイン基板４００上に実装される。ＲＯＭ１５１及びＲＡＭ１５２は、記憶部として機能する。ＲＯＭ１５１は、電気的に消去・記憶可能なメモリであって、例えば、ＥＥＰＲＯＭなどが用いられる。ＲＯＭ１５１は、ＣＰＵ１５０の動作用の定数、プログラムなどを記憶する。当該プログラムは、後述するフローチャートを実行するプログラムを含む。
【００１５】
ＣＰＵ１５０は、撮像装置本体１００のシステム全体の制御を司る。また、ＣＰＵ１５０は、ＲＯＭ１５１内に記憶されたプログラムを実行することによって、後述するフローチャートに示す処理を行う。
【００１６】
ＲＡＭ１５２は、システムメモリ、ワークメモリ、画像メモリ、及び音声メモリとして用いられる。ＣＰＵ１５０の動作用の定数、変数、及びＲＯＭ１５１から読み出したプログラムなどは、ＲＡＭ１５２内に展開される。画像データ及び音声データは、例えば、ＲＡＭ１５２内に一時的に記憶される。ＣＰＵ１５０は、ＲＡＭ１５２内に一時的に記憶された画像データ及び音声データを記録部１５３に転送する。記録部１５３は、これらの画像データ及び音声データを不揮発的に記録する。
【００１７】
記録部１５３は、例えば、メモリカードなどの記録媒体である。このような記録媒体は、ＮＡＮＤフラッシュメモリなどの不揮発性メモリを備える。従って、上述のように、画像データ及び音声データは、記録部１５３内に保存データとして記録される。
【００１８】
表示部２０５は、液晶パネル、有機ＥＬパネルなどである。表示部２０５は、タッチセンサの機能を備えていてもよい。温度センサ１５４は、例えば、サーミスタであり、後述するように、メイン基板４００上、センサ基板２５８上、又はその両方上に実装される。温度センサ１５４は、例えば、撮像素子２００内に実装してもよい。
【００１９】
操作部１５５は、ユーザによって操作される部分であり、各種指示をＣＰＵ１５０に与えるために設けられる。操作部１５５は、例えば、後述する撮像ボタン２０１、操作ダイアル２０４、操作ボタン群２０３、表示部２０５のタッチセンサなどを含む。ファン３００は、撮像装置本体１００の内部、特に、撮像素子２００及びその周辺を冷却するための冷却ファンである。ファン３００の回転数は、ＣＰＵ１５０により制御される。
【００２０】
カメラ電気通信接点部ユニット６００は、ＣＰＵ１５０がレンズ鏡筒９００の装着を検知するために設けられる。例えば、カメラ電気通信接点部ユニット６００ととレンズ鏡筒９００のレンズ電気通信接点部９１０とが接触すると、両者の導通が確保される。従って、ＣＰＵ１５０は、この導通の有無により、レンズ鏡筒９００の装着を検知することができる。ＣＰＵ１５０は、レンズ鏡筒９００の装着を検知すると、レンズメモリ９０１からレンズ情報を読み出し、かつＲＡＭ１５２内に記憶する。
【００２１】
（撮像装置の構造例）
図２は、撮像装置の例を示す。
同図（Ａ）は、撮像装置を正面側から見た外観斜視図であり、同図（Ｂ）は、撮像装置を右背面側から見た外観斜視図であり、同図（Ｃ）は、撮像装置を左背面側から見た外観斜視図である。
【００２２】
撮像装置は、交換式のレンズ鏡筒９００が撮像装置本体１００の正面側（被写体側）に着脱可能となるような構造を有する。レンズ鏡筒９００が撮像装置本体１００に装着されると、上述のように、カメラ電気通信接点部ユニット６００とレンズ電気通信接点部９１０との導通が確保される。
【００２３】
撮像装置本体１００は、撮像ボタン２０１、レンズ鏡筒９００を固定するためのマウント部２０８などを備える。撮像素子２００は、保護ユニット５００内に設けられる。撮像素子２００は、レンズ鏡筒９００の撮影光学系を通過して結像された被写体像を光電変換し、かつ不図示の画像処理部に出力する。
【００２４】
また、撮像装置本体１００は、その正面側から見て右側の側面部に、電源ボタン２０２、操作ボタン群２０３、操作ダイアル２０４、表示部２０５、及びフランジバック調整ボタン２３５を備える。フランジバック調整ボタン２３５が押下されると、例えば、ＣＰＵ１５０のモード切り替え部が後述するフランジバック調整モードへの切り替えを実行する。
【００２５】
さらに、撮像装置本体１００は、その正面側から見て左側の側面部に、カード蓋２１０、外部入出力端子部２２０、撮影ボタン２０６、吸気口２３０、及び排気口２４０を備える。カード蓋２１０は、不図示のカードスロットの開口部を開閉可能に覆う。また、吸気口２３０及び排気口２４０は、撮像装置本体１００の左側面に配置される。
【００２６】
図３は、撮像装置の分解斜視図を示す。
撮像装置本体１００は、正面カバーユニット２５１、右カバーユニット２５２、左カバーユニット２５３、背面カバーユニット２５４、上面カバーユニット２５５、及び底面カバーユニット２５６を備える。これらのカバーユニット２５１〜２５６は、メインユニット２５０を覆い、かつ撮像装置の外形を構成する。
【００２７】
上面カバーユニット２５５は、複数のねじ穴２５７を有する。これら複数のねじ穴２５７は、撮像装置本体１００に、外部機器、アクセサリなどを取り付けることを可能とする。
【００２８】
メインユニット２５０は、放熱のためのファンダクトユニット３０１を備える。大きな消費電力を有するチップが搭載されるメイン基板４００及びサブ基板４１０は、ファンダクトユニット３０１上に取り付けられる。ファンダクトユニット３０１は、その内部にファン３００を備える。ファン３００が駆動されると、外部の冷たい空気が吸気口２３０から吸入され、かつファンダクトユニット３０１内部の熱交換により温められた空気が排気口２４０から排出される。このように、ファンダクトユニット３０１内部に気流を発生させることで、各基板から放出された熱を撮像装置の外部に放出し、各基板を冷却することができる。
【００２９】
メインユニット２５０の放熱構造を詳述する。
図４は、メインユニットを示す。
同図（Ａ）は、撮像装置本体１００の背面側からメインユニット２５０を見た斜視図であり、同図（Ｂ）は、撮像装置本体１００の正面側からメインユニット２５０を見た斜視図である。
【００３０】
メインユニット２５０は、ファンダクトユニット３０１を備える。メイン基板４００、サブ基板４１０、さらにその他の複数の基板は、ファンダクトユニット３０１上に取り付けられる。これらの発熱を伴う複数の基板は、ファンダクトユニット３０１上に固定されることで、熱伝導の原理によりまとめて冷却することが可能である。
【００３１】
図５は、ファンダクトユニットを示す。
同図（Ａ）は、撮像装置本体１００の背面側からファンダクトユニット３０１を見た斜視図であり、同図（Ｂ）は、撮像装置本体１００の正面側からファンダクトユニット３０１を見た斜視図である。
【００３２】
右ダクト３０２、左ダクト３０３、及び左ダクトリア３０４は、ビス３０５によりファンダクトユニット３０１に固定される。ファン３００は、ファンダクトユニット３０１の内部に配置される。ファン３００は、例えば、ファンゴム３０６内に組み込まれた小型の軸流ファンである。本例では、ファン３００は、図の上下方向に２個並べて配置される。
【００３３】
このように、ファン３００が小型の軸流ファンであれば、ファンダクトユニット３０１が小型化できるため、撮像装置本体１００の小型化にも貢献できる。また、ファン３００がファンゴム３０６内に組み込まれることで、ファン３００の回転時に発生する振動が低減される。尚、右ダクト３０２、左ダクト３０３、及び左ダクトリア３０４は、アルミニウム、マグネシウムなどの金属材料を備え、ファンゴム３０６は、シリコンなどの弾性材料を備える。
【００３４】
図６は、ファンを示す。
同図（Ａ）は、ファン３００の斜視図であり、同図（Ｂ）は、同図（Ａ）のファン３００を背面側から見た斜視図である。
【００３５】
ファン３００は、樹脂製のフレーム３１０と、メイン基板４００に電気的に接続するためのファンワイヤ３１２と、不図示のファン基板と、を備える。ファン３００は、さらに、ファン基板を経由して電気的に接続される不図示のモータを備える。当該モータが羽根３１３を回転させることで、ファンの正面と背面との間に圧力差を発生させ、かつ気流を発生させる。
【００３６】
ファン３００は、羽根３１３の回転数を検出するために、例えば、羽根３１３に付加された磁石と、ファン基板に付加された当該磁石からの磁場を検出するホール素子と、を備えていてもよい。この場合、ＣＰＵ１５０は、羽根３１３の現在の回転数に基づき、羽根３１３が所定の回転数になるように、モータをフィードバック制御することができる。
【００３７】
このように、ファン３００は、空気を吸気口２３０から吸気し、かつ排気口２４０に排出する機能を有すると共に、その回転数が制御されることで、冷却能力も制御可能となっている。一般的に、軸流ファンは、羽根３１３の回転が低速でも、十分に大きな風量を得ることができる。即ち、軸流ファンは、大きな冷却能力が必要な場合でも、羽根３１３の回転を比較的に低速にできるという特徴を持つ。従って、軸流ファンは、風切り音、モータ音などの騒音ノイズが抑えられることから、撮像機器に最適である。
【００３８】
図７は、ファンダクトユニットを示す。
同図は、ファンダクトユニット３０１の分解斜視図である。同図に示すように、ファン３００は、左ダクトリア３０４のファン組み込み部３０８に、ファンゴム３０６が当接された状態で組み込まれる。その結果、ファン３００は、ファン組み込み部３０８に保持される。このような構造は、ファン３００の羽根３１３が回転することに起因する振動が撮像装置本体１００に与える影響を最小限にする。
【００３９】
また、複数の左ダクトフィン３０７は、放熱面積を拡大するために、左ダクト３０３の内側に設けられ、かつ撮像装置本体１００の高さ方向に所定間隔で並設される。同様に、不図示の複数の右ダクトフィンも、放熱面積を拡大するために、右ダクト３０２の内側に設けられ、かつ撮像装置本体１００の高さ方向に所定間隔で並設される。その結果、ファン３００により、各基板の冷却が効率的に行える。
【００４０】
図８は、撮像素子の放熱構造を説明する図である。
撮像素子２００は、上述のように、ＣＣＤ、ＣＭＯＳイメージセンサなどのチップを用いる。この場合、当該チップ自体が発する熱、又は当該チップの周辺に配置される素子が発する熱などに起因し、撮像素子２００により検出される画像データにノイズが加わり、画質が低下する恐れが生じる。
【００４１】
従って、撮像素子２００が発する熱、又はその周辺に配置される素子が発する熱を効率的に放熱する必要がある。このため、撮像素子２００は、接着材などにより、センサ基板２５８のセンサ保持部材２８０に固定される。また、センサ放熱板２５９は、ビスなどによりセンサ保持部材２８０に固定される。さらに、放熱ゴム２６０は、センサ放熱板２５９とファンダクトユニット３０１との間に挟み込まれる。
【００４２】
以上の構造により、撮像素子２００が発する熱、又はその周辺に配置される素子が発する熱は、効率的にファンダクトユニット３０１に放熱される。
【００４３】
図９乃至図１１は、正面カバーユニットを示す。
図９（Ａ）は、正面カバーユニット２５１の正面図であり、図９（Ｂ）は、図９（Ａ）のＧ−Ｇ線に沿う断面図である。図９（Ｃ）は、調整ビス２２２ａがネジ穴８０５ａに螺合した状態を示す図である。
【００４４】
図１０（Ａ）は、正面側（被写体側）から正面カバーユニット２５１を見た分解斜視図であり、図１０（Ｂ）は、図１０（Ａ）の構造を背面側から見た分解斜視図である。ここでは、図中の光軸方向をｚ方向、光軸方向に対して鉛直方向をｙ方向、光軸方向に対して水平方向をｘ方向とする。
【００４５】
図１１は、正面カバーユニット２５１からマウントカバー３２０を取り外した状態の正面図である。
【００４６】
撮像素子ユニット２７０は、センサ固定ビス８８３ａ、８８３ｂ、８８３ｃにより、フロントベース８０２の背面側に固定される。撮像素子ユニット２７０は、撮像素子２００、センサ基板２５８、及びセンサ保持部材２８０を含む。撮像素子２００は、正面側（被写体側）が撮像面２７１とされ、裏面側が接着剤などによりセンサ保持部材２８０に固定される。
【００４７】
撮像素子２００から出力される画像データは、例えば、センサ基板２５８上の画像処理部で処理される。画像処理部で処理された画像データは、例えば、メイン基板４００上の画像処理部（プロセッサなど）に転送される。
【００４８】
センサ放熱板２５９は、放熱板固定ビス２６９ａ、２６９ｂ、２６９ｃにより、センサ保持部材２８０の裏面に取り付けられる。保護ユニット５００は、撮像素子２００を保護するために、正面側凹部８５２に取り付けられる。電気通信ケーブル２９０は、センサ基板２５８とメイン基板４００とを電気的に接続する。
【００４９】
フロント枠８２３は、フロントカバー８１５及び底面カバーユニット２５６を固定するため、フロントベース８０２に固定される。底面カバーユニット２５６は、フロント枠８２３に対してカメラ用三脚を装着可能である三脚固定部３５６を有する。マウント部２０８は、レンズ鏡筒９００が当接するマウント面２１８を有する。カメラ電気通信接点部ユニット６００は、接点部が露出する向きで、マウント面２１８に取り付けられる。ワイヤーカバー６０１は、背面側に設けられ、カメラ電気通信接点部ユニット６００を保護する。
【００５０】
このような構造により、レンズ鏡筒９００が当接するマウント面２１８が三脚固定部３５６に対して定まり、かつ三脚固定部３５６に対するレンズ鏡筒９００の位置が決まる。尚、マウントカバー３２０は、フロントカバー８１５とマウント部２０８との間を覆う外装カバーである。
【００５１】
本撮像装置の重要な構成要素であるフランジバックは、図９に示すように、レンズ鏡筒９００が当接するマウント面２１８から撮像素子２００の撮像面２７１のまでの距離ＦＢに対応する。また、レンズ鏡筒９００は、マウント回転部２１９に接触させた状態で回動させることによりマウント面２１８に固定される。
【００５２】
マウント部２０８とフロントベース８０２の取り付け方法について、図９、図１０、及び図１１を参照しながら説明する。
【００５３】
マウント部２０８は、調整ビス２２２ａ、２２２ｂ、２２２ｃを挿通可能な貫通穴２４８ａ、２４８ｂ、２４８ｃを有する。一方、フロントベース８０２は、貫通穴２４８ａ、２４８ｂ、２４８ｃに対向する位置に凹部（例えば、円筒状の穴）８２０ａ、８２０ｂ、８２０ｃを有する。凹部８２０ａ、８２０ｂ、８２０ｃは、異なる内径を有するばね収納部とビス固定部とを備える。
【００５４】
ばね収納部は、ビス固定部よりも大きな内径を有する。コイルばね８１３は、両者の段差を利用することで、ばね収納部に収納可能となっている。ビス固定部は、凹部８２０ａ、８２０ｂ、８２０ｃの底部に配置され、その内面に調整ビス２２２ａ、２２２ｂ、２２２ｃを螺合可能なネジ穴８０５ａ、８０５ｂ、８０５ｃを有する。
【００５５】
調整ビス２２２ａ、２２２ｂ、２２２ｃがマウント部２０８の貫通穴２４８ａ、２４８ｂ、２４８ｃに挿入された後、コイルばね８１３ａ、８１３ｂ、８１３ｃは、調整ビス２２２ａ、２２２ｂ、２２２ｃに嵌め込まれる。そして、コイルばね８１３ａ、８１３ｂ、８１３ｃが嵌め込まれた状態の調整ビス２２２ａ、２２２ｂ、２２２ｃが凹部８２０ａ、８２０ｂ、８２０ｃに挿入されると、コイルばね８１３ａ、８１３ｂ、８１３ｃは、凹部８２０ａ、８２０ｂ、８２０ｃのばね収納部に自己整合的に収納さえる。
【００５６】
この状態において、調整ビス２２２ａ、２２２ｂ、２２２ｃを回動させ、かつネジ穴８０５ａ、８０５ｂ、８０５ｃに螺合させる。
【００５７】
尚、図９（Ｃ）は、調整ビス２２２ａがネジ穴８０５ａに螺合された状態のみを示すが、その他の調整ビス２２２ｂ、２２２ｃがネジ穴８０５ｂ、８０５ｃに螺合された状態についても、図９（Ｃ）と同じ構造になることは言うまでもない。また、調整ビス２２２ａ、２２２ｂ、２２２ｃが挿通可能な貫通穴２４８ａ、２４８ｂ、２４８ｃは、図１１に示すように、マウント回転部２１９の外周に沿う位置に配置され、かつそれらの位置関係が略三角形となるように配置される。
【００５８】
ここで、例えば、撮像素子２００の温度上昇により、撮像素子ユニット２７０が締結されるフロントベース８０２は、熱膨張する。その結果、フロントベース８０２のばね当接面８２２からセンサ取り付け部８０３ａ、８０３ｂ、８０３ｃまでの距離Ｌは、図１２に示すようにΔＬだけ大きくなる。この距離Ｌの変化は、フランジバックの変化を意味する。
【００５９】
この熱膨張によるフランジバックの変化を抑えるためには、センサ基板２５８には温度センサ（例えば、サーミスタ）を実装し、この温度センサを用いて、センサ基板２５８の温度をメイン基板４００のＣＰＵ１５０により制御すればよい。例えば、ＣＰＵ１５０の温度制御部は、温度取得部により取得される温度が一定範囲内に収まるように、撮像素子２００の読み出し速度、及び撮像素子２００に流れる電流値の少なくとも１つを制御する。
【００６０】
（フランジバックの調整例）
フランジバックの調整例について説明する。
・  第１のフランジバック調整機構の説明
図１３は、第１のフランジバック調整機構を示す。
図１３（Ａ）は、センサ背面側から見た分解斜視図であり、図１３（Ｂ）は、組み立て状態において撮像素子２００を裏面側から見た図であり、図１３（Ｃ）は、図１３（Ｂ）のＡ−Ａ線に沿う断面である。
【００６１】
第１のフランジバック調整機構は、撮像装置のフランジバックを、撮像素子２００の裏面側から調整可能な機構である。第１のフランジバック調整機構は、撮像装置本体１００から正面カバーユニット２５１を取り外した状態でフランジバックの調整を行う。同図では、フランジバックの調整方法の説明を分かり易くするため、フランジバックの調整に関わらないフロント枠８２３、フロントカバー８１５、及びセンサ放熱板２５９は、不図示とする。
【００６２】
フロントベース８０２は、マグネシウム合金などの堅牢な材質で構成される。フランジバックは、フロントベース８０２に対して、マウント面２１８と撮像素子２００の撮像面２７１との位置関係を定めることにより決まる。
【００６３】
センサ取り付け腕部８５３ａ、８５３ｂ、８５３ｃは、センサ取り付け部８０３ａ、８０３ｂ、８０３ｃを設けるための部材である。センサ取り付け腕部８５３ａ、８５３ｂ、８５３ｃは、図１３（Ａ）に示すように、フロントベース８０２において、レンズ鏡筒９００から入射した光を遮らない位置に配置され、かつ光軸方向に延びる。また、センサ取り付け腕部８５３ａ、８５３ｂ、８５３ｃは、撮像素子２００を取り囲み、かつそれらの位置関係が略三角形となるように配置される。
【００６４】
センサ位置決めボス８０４ａ、８０４ｂ及びセンサ取付ねじ穴８１４ａ、８１４ｂ、８１４ｃは、センサ取り付け部８０３ａ、８０３ｂ、８０３ｃに設けられる。センサ位置決めボス８０４ａ、８０４ｂ及びセンサ取付ねじ穴８１４ａ、８１４ｂ、８１４ｃは、撮像素子２００が固定されるセンサ保持部材２８０のｘ方向及びｙ方向の位置を決める。
【００６５】
センサ保持部材２８０は、センサ取り付け部８０３ａ、８０３ｂ、８０３ｃと保持部材ビス固定部８９６との間にスペーサ８９５を挟み込んだ状態で、固定ビス８８３ａ、８８３ｂ、８８３ｃによりフロントベース８０２ｂに結合される。ここで、図１３（Ｃ）に示すように、スペーサ８９５の厚さを変更することで、撮像面２７１の光軸方向の位置及び傾きを調整することができる。
【００６６】
第１のフランジバック調整機構によるフランジバックの調整例について、図１４及び図１５を参照しながら説明する。
図１４は、異なる板厚を有する複数のスペーサを示す。図１５は、スペーサが挿入された状態を示す。
【００６７】
フランジバック調整工程では、図１４に示すように、異なる板厚を有する複数のスペーサ８９５ｓ、８９５ｔ、８９５ｕが用意される。例えば、複数のスペーサ８９５ｓ、８９５ｔ、８９５ｕの板厚は、ｓ＞ｔ＞ｕ＞０となるように予め決められている。但し、ｓは、スペーサ８９５ｓの板厚であり、ｔは、スペーサ８９５ｔの板厚であり、ｕは、スペーサ８９５ｕの板厚である。
【００６８】
そして、これらの複数のスペーサ８９５ｓ、８９５ｔ、８９５ｕの中から、撮像装置の組み立てばらつき、部品のサイズばらつきなどを考慮し、フランジバックの目標値に最も近くなるであろうスペーサを選択する。
【００６９】
ここでは、一例として、図１４に示す複数のスペーサ８９５ｓ、８９５ｔ、８９５ｕの中から、スペーサ８９５ｔが選択される。スペーサ８９５ｔは、センサ取り付け部８０３ａ、８０３ｂ、８０３ｃの３箇所にそれぞれ挿入された後、センサ固定ビス８８３ａ、８８３ｂ、８８３ｃにより固定される。スペーサ８９５ｔが挿入されると、図１５に示す状態となる。
【００７０】
スペーサ８９５ｔがセンサ取り付け部８０３ａ、８０３ｂ、８０３ｃと保持部材ビス固定部８９６との間に挿入された状態で、センサ保持部材２８０がフロントベース８０２ｂに結合された後、フランジバックが測定される。フランジバックの測定は、例えば、マウント部２０８を、ＬＥＤ光測距などを用いたフランジバック測定器に装着することで、行うことができる。そして、フランジバックの測定結果に基づき、スペーサの板厚を適宜変更することで、撮像面２７１の位置及び傾きが調整される。
【００７１】
・  第２のフランジバック調整機構の説明
図１６及び図１７は、第２のフランジバック調整機構を示す。
図１６は、第２のフランジバック調整機能による調整前の図である。同図（Ｂ）は、同図（Ａ）のＤ−Ｄ線に沿う断面図である。図１７は、第２のフランジバック調整機能による調整後の図である。同図（Ｂ）は、同図（Ａ）のＣ−Ｃ線に沿う断面図である。
【００７２】
図１６（Ｂ）に示すように、コイルばね８１３ａ、８１３ｂ、８１３ｃがフロントベース８０２の凹部８２０ａ、８２０ｂ、８２０ｃ内に縮設されることで、フロントベース８０２は、マウント部２０８から離れる方向（図中矢印Ｇ）に付勢される。この状態で、調整ビス２２２ａを緩めると、コイルばね８１３ａの付勢力により、フロントベース８０２が押し上げられる。
【００７３】
従って、調整ビス２２２ｂ、２２２ｃで支持された部分（軸Ｆ  ８０１）を中心として、Ｐ方向に傾きθが生じ、図１７（Ｂ）に示す状態になる。この時、フロントベース８０２が傾くことで、フロントベース８０２に固定されるセンサ保持部材２８０も連れだってＰ方向へと傾く。即ち、センサ保持部材２８０に固着される撮像素子２００は、マウント部２０８に対して傾くことになる。
【００７４】
同様に、調整ビス２２２ｂ又は調整ビス２２２ｃを緩めることで、コイルばね８１３ｂ、８１３ｃの付勢力によりフロントベース８０２に傾きが生じ、かつセンサ保持部材２８０に固着される撮像素子２００、即ち、撮像面２７１も傾く。
【００７５】
このように、調整ビス２２２ａ、２２２ｂ、２２２ｃの緩み量を各々調整することにより、撮像面２７１を任意の姿勢に調整することが可能となる。
【００７６】
図１８は、調整ビスと回転角の指標を示す。
同図を用いて、調整ビス２２２により、第２のフランジバック調整機構における調整幅を決める仕組みについて説明する。
【００７７】
調整ビス２２２は、ねじピッチｒで設けられる。調整ビス２２２が、１回転、即ち、３６０度、緩み方向に回転すると、フロントベース８０２がマウント部２０８からねじピッチｒ分だけ離れる。また、図１８（Ａ）に示すように、回転角の指標８３０は、調整ビス２２２のビス頭に印刷される。一方、図１８（Ｂ）に示すように、角度を示す指標８８８は、調整ビス２２２が収まるマウント部２０８の調整ビス収納部２３８の外周に表示される。即ち、調整ビス２２２によるフランジバックの調整時に、ユーザが調整量（回転角）を視認できるような構成になっている。
【００７８】
尚、本実施形態では、角度を示す指標８８８の１メモリは、１５度である。また、この指標８８８は、撮像装置本体１００からマウントカバー３２０及びマウント回転部２１９を取り外すことにより露出する。
【００７９】
従って、第２のフランジバック調整機構によれば、マウントカバー３２０及びマウント回転部２１９を取り外した状態で、調整ビス２２２ａ、２２２ｂ、２２２ｃを用いてフランジバックの調整が可能である。即ち、撮像装置本体１００から正面カバーユニット２５１を取り外すことなく、容易にフランジバックの調整を行うことが可能となる。また、第１のフランジバック調整機構のように、撮像素子ユニット２７０を取り外す必要がないため、保護ユニット５００と撮像面２７１との間に塵などが付着することもない。即ち、クリーンルームなどの環境がない使用環境下においても、フランジバックの調整が可能である。
【００８０】
また、第２のフランジバック調整機構によれば、第１のフランジバック調整機構のようなスペーサを用いる不連続な調整方法とは異なり、調整ビス２２２による連続的な調整方法を実現できる。即ち、より細かいフランジバックの調整が可能である。また、第２のフランジバック調整機構によれば、互いの位置関係が略三角形となるような３箇所の調整部が設けられるため、撮像面２７１の傾き及び光軸方向の調整がそれぞれ可能である。
【００８１】
（フランジバックの調整順序）
図１９及び図２０用いて、第１のフランジバック調整機構と第２のフランジバック調整機構によるフランジバックの調整順序について説明する。
【００８２】
図１９は、調整ビスを締結した状態を示し、図２０は、調整ビスを緩めた状態を示す。
図１９（Ｂ）は、図１９（Ａ）のＥ−Ｅ線に沿う断面図である。図１９（Ｃ）は、調整ビスが締結された状態を分かり易く示す図である。図２０（Ａ）は、第２のフランジバック調整機構により調整ビスを緩めた状態の正面図であり、図２０（Ｂ）は、調整ビスの回転位置を示す図である。
【００８３】
まず、図１９（ｂ）に示すように、第２のフランジバック調整機構の調整ビス２２２ａ、２２２ｂ、２２２ｃを締結する。この時、マウント部２０８の当接面８２８ａ、８２８ｂ、８２８ｃとフロントベース８０２のばね当接面８２２ａ、８２２ｂ、８２２ｃとが互いに突き当たるようにする。例えば、調整ビス２２２ａについては、図１９（Ｃ）の状態になる。
【００８４】
次に、３箇所の調整ビス２２２ａ、２２２ｂ、２２２ｃをそれぞれ締結した後、調整ビス２２２ａをビス緩み方向である反時計回り（図中矢印方向）に１回転、即ち、１８０度回転させる。この時、調整ビス２２２ａの回転角の指標８３０ａが、マウント部２０８ａに設けられた調整ビス収納部２３８ａに表示される角度を示す指標８８８ａに対して、１回転するように、調整ビス２２２ａを回転させる。その結果、調整ビス２２２ａは、図２０（Ｃ）に示す状態になる。
【００８５】
同様に、調整ビス２２２ｂ、２２２ｃについても、反時計回りに１回転、即ち、１８０度回転させる。これにより、図２０（Ｂ）に示すように、当接面８２８とばね当接面８２２との間に調整用空間２４９が確保される。即ち、調整ビス２２２ａ、２２２ｂ、２２２ｃを回転させることにより、撮像装置のフランジバックを光軸方向（＋ｚ方向及び−ｚ方向）に調整可能となる。
【００８６】
次に、第２のフランジバック調整機構の調整用空間２４９を確保した状態で、第１のフランジバック調整機構のスペーサ８９５ｓ、８９５ｔ、８９５ｕを用いてフランジバックの調整を行う。
【００８７】
このようなフランジバックの調整方法によれば、まず、工場の組み立て工程において、第１のフランジバック調整機構を用いて、厳密（リジット）に、かつ一定の調整幅で、撮像面２７１の傾きを含むフランジバックの調整が可能である。次に、使用現場において、第２のフランバック調整機構を用いて、調整ビス２２２ａ、２２２ｂ、２２２ｃを絞める、又は緩めるといった動作により、撮像面２７１の傾きを含むフランジバックの調整を細かく、かつ連続的／無段階で調整可能である。
【００８８】
（フランジバックの測定方法）
フランジバック測定器によるフランジバックの測定方法について説明する。
図２１はフランジバック測定器を示す。図２２は、フランジバック測定器と撮像装置本体とを示す。図２３は、撮像面の測定ポイントを示す。
【００８９】
図２１は、フランジバック測定器５０１を撮像装置本体１００との取付け側から見た図である。図２２は、フランジバック測定器５０１を用いてフランジバックの測定を行うために、フランジバック測定器５０１を撮像装置本体１００に取り付けた状態を示した図である。図２３は、撮像素子ユニット２７０のみを示す図である。
【００９０】
フランジバック測定器５０１は、測定部５０３と、測定器電気通信接点部５０４と、測定器当接面５０５ａ〜５０５dと、を備える。測定部５０３は、５箇所のＬＥＤ照射口５０２ａ〜５０２ｅを備える。測定器電気通信接点部５０４は、カメラ電気通信接点部ユニット６００と電気的に接続して通信を可能とする機能を有する。測定器当接面５０５ａ〜５０５dは、フランジバック測定器５０１を撮像装置本体１００のマウント部２０８に取り付けた際に、マウント面２１８に当接する。
【００９１】
尚、フランジバック測定器５０１の撮像装置本体１００への取り付け方法は、レンズ鏡筒９００の撮像装置本体１００への取り付け方法と同じであるため、ここでの詳細な説明を省略する。
【００９２】
フランジバック測定器５０１が撮像装置本体１００に取り付けられた後、フランジバックの測定が行われる。フランジバックの測定時において、ＬＥＤ光は、５箇所のＬＥＤ照射口５０２ａ〜５０２ｅから図２３に示す撮像面２７１の測定ポイント５０６ａ〜５０６ｅに向けて照射される。マウント面２１８から撮像面２７１の各測定ポイント５０６ａ〜５０６ｅまでの距離は、各測定ポイント５０６ａ〜５０６ｅからのＬＥＤの反射光を検出することで、測定することが可能である。
【００９３】
尚、フランジバックは、既に述べたように、マウント面２１８から撮像素子２００の撮像面２７１のまでの距離ＦＢのことであるが、より具体的には、マウント面２１８から撮像面２７１の中心の測定ポイント５０６ａまでの距離のことである。また、５箇所の測定ポイント５０６ａ〜５０６ｅのうち、残りの測定ポイント５０６ｂ〜５０６ｅから得られる測定値は、撮像面２７１の傾きを求めるために使用される。
【００９４】
（フランジバック調整モードの説明）
フランジバック調整モードについて説明する。
本実施の形態では、ＣＰＵ１５０は、フランジバック調整モードへの切り替えを制御するモード切り替え部を備えていてもよい。この場合、ＣＰＵ１５０の温度制御部は、フランジバック調整モードにおいて、撮像素子２００の周辺の温度、即ち、センサ基板２５８の温度を制御することが可能となる。
【００９５】
センサ基板２５８を保持するフロントベース８０２は、上述したように、センサ基板２５８の温度上昇、環境温度の変化などにより熱膨張又は熱収縮する。その結果、撮像装置のフランジバックも、これらの温度変化に依存して変化し、安定しない。そこで、本実施形態では、センサ基板２５８の温度変化を検知するための温度センサ２７２、例えば、サーミスタをセンサ基板２５８上、特に、撮像素子２００の周辺に実装する。そして、温度センサ２７２により検知される温度に基づき、撮像素子２００の周辺の温度、即ち、センサ基板２５８の温度を制御する。
【００９６】
図２４は、サーミスタ出力値とフランジバックの変化量を示す。
同図は、温度センサ２７２としてサーミスタを使用し、上述のフランジバック調整モード以外のモード（非フランジバック調整モード）時における、サーミスタ出力値及びフランジバックの変化量の時間変化を示す図である。
【００９７】
同図において、横軸は、経過時間を示し、左側縦軸は、フランジバックの変化量を示し、右側縦軸は、サーミスタ出力値を示す。ここで、フランジバックの変化量とは、フランジバックの初期値、即ち、経過時間が０のときのフランジバックの値に対する変化量のことである。フランジバックの初期値とは、撮像装置本体１００の電源がＯＮされた直後のフランジバックのことである。即ち、同図は、撮像装置本体１００の電源がＯＮされた後のフランジバックの変化を表している。
【００９８】
フランジバックの変化量を示す５点（１中心、２左上、３左下、４右下、５右上）は、図２３に示す測定ポイント５０６ａ〜５０６ｅに対応する。
【００９９】
撮像装置本体１００の電源がＯＮされると、撮像素子２００の温度が上昇し、撮像素子２００の周辺の温度、即ち、センサ基板２５８の温度が上昇する。これに伴い、センサ基板２５８上の温度センサ２７２の出力値、即ち、サーミスタ出力値が上昇する。フランジバックの変化量は、サーミスタ出力値に依存して推移するため、サーミスタ出力値と同様に、経過時間に応じて上昇する。
【０１００】
また、撮像装置本体１００の電源がＯＮされてから一定時間が経過すると、撮像素子２００の温度が飽和し、撮像素子２００の周辺の温度、即ち、センサ基板２５８の温度も飽和する。従って、サーミスタ出力値は、一定となる。この時、フランジバックの変化量も、概ね一定となる。
【０１０１】
同図から分かることは、撮像装置のフランジバックは、撮像装置本体１００の電源がＯＮされて以降、撮像素子２００の周辺の温度に連動して変化する、という事実である。従って、フランジバックの調整は、同図に示すような撮像素子２００の周辺の温度と撮像装置のフランジバックの変化量との関係に基づいて行うことが重要となる。
【０１０２】
このような意味から、撮像装置がフランジバック調整モードを備え、かつフランジバック調整モードにおいて、撮像素子２００の周辺の温度と撮像装置のフランジバックの変化量との関係に基づき、フランジバックを調整することには大きな意義がある。
【０１０３】
例えば、ＣＰＵ１５０は、温度取得部と、記憶部と、温度制御部と、入力部と、モード切替部と、を備える。温度取得部は、撮像素子２００の周辺の温度を取得する。記憶部は、撮像素子２００の周辺の温度と撮像装置２００のフランジバックとの関係、例えば、図２４に示す関係を記憶する。この関係は、例えば、撮像装置本体１００のＲＯＭ１５１内にＬＵＴデータとして予め記憶される。
【０１０４】
入力部は、ユーザが使用温度を入力するために使用される。使用温度は、撮像装置が使用される使用環境（寒冷地、猛暑地など）に基づき、ユーザが決定する。モード切り替え部は、例えば、通常モードからフランジバック調整モードへの切り替えを制御する。温度制御部は、撮像素子２００の周辺の温度を制御する。即ち、温度制御部は、フランジバック調整モードにおいて、入力部により入力される使用温度、温度取得部により取得される温度、及び記憶部により記憶される関係に基づき、撮像素子２００の周辺の温度を制御する。
【０１０５】
温度制御部は、温度取得部により取得される温度が一定範囲内に収まるように、撮像素子２００の周辺の温度を制御する。
【０１０６】
温度制御部は、温度取得部により取得される温度が一定範囲内に収まるように、例えば、ファンの回転を制御する。温度制御部は、撮像装置の起動時に、温度取得部により取得される温度が一定範囲内に収まるまで、ファンの回転を停止するのが望ましい。この場合、撮像素子２００の周辺の温度、即ち、センサ基板２５８の温度は、フランジバックの調整値を算出するのに適した一定範囲内の温度に急激に上昇する。
【０１０７】
また、温度制御部は、温度取得部により取得される温度が一定範囲内の上限を超えたときにファンの回転数を第１の値（例えば、最大値）とする。また、温度制御部は、温度センサにより検出される温度が一定範囲内の下限を下回ったときにファンの回転数を第１の値よりも小さい第２の値（例えば、最小値）とする。
【０１０８】
温度制御部は、温度取得部により取得される温度が一定範囲内に収まるように、撮像素子の読み出し速度、及び撮像素子に流れる電流値の少なくとも１つを制御してもよい。
【０１０９】
ＣＰＵ１５０は、さらに、入力部により入力される使用温度に基づき、一定範囲の下限である第１の温度閾値、及び一定範囲の上限である第２の温度閾値を決定する閾値決定部を備えてもよい。また、ＣＰＵ１５０は、温度取得部により取得される温度が一定範囲内に収まらない場合に、フランジバックの調整に適していない状態である旨を表示する表示部を備えてもよい。
【０１１０】
ＣＰＵ１５０は、温度取得部により取得される温度が一定範囲内に収まる場合に、ユーザにフランジバックの調整を行うか否かを確認する表示を行う表示部をさらに備えるのが望ましい。ここで、撮像装置は、例えば、レンズ装置に代えて、フランジバックを測定するフランジバック測定器５０１を装着可能なように構成される。
【０１１１】
従って、ＣＰＵ１５０は、フランジバック測定器５０１の装着が確認され、かつフランジバックの調整を行う旨が確認された場合に、調整値算出部を用いて、フランジバック測定器５０１による測定値に基づき、フランジバックの調整値を算出可能である。そして、調整値算出部により算出されたフランジバックの調整値は、表示部に表示される。
【０１１２】
尚、温度取得部は、撮像素子２００の周辺に配置される温度センサ２７２を用いて撮像素子２００の周辺の温度を取得するのが望ましい。
【０１１３】
以上のように、撮像装置がフランジバック調整モードを備えることにより、撮影時の使用環境と同じ環境を作り出した状態でフランジバックの調整値を算出することができ、実際の撮影時にフランジバックのずれがほとんど生じなくなる。
【０１１４】
（フランジバック調整モードの動作）
以下、フランジバック調整モードの動作を詳細に説明する。
【０１１５】
図２５は、フランジバック調整モードの動作を示す。図２６は、フランジバック調整モードでの表示画面を示す。
図２５のフローチャートは、ＣＰＵ１５０がＲＯＭ１５１内に記憶されたプログラムをＲＡＭ１５２に展開して実行することによって行われる。
【０１１６】
まず、ステップＳ１０１で、ユーザが撮像装置本体１００の電源スイッチを押すと、撮像装置本体１００が起動する。ステップＳ１０２に進み、ユーザによって撮像装置本体１００のフランジバック調整ボタン２３５が操作されてフランジバック調整モードに入ったか否かが判断される。
【０１１７】
フランジバック調整モードに入った場合（ステップＳ１０２でＹｅｓの場合）には、ステップＳ１０３に進み、フランジバック調整モードに入っていない場合（ステップＳ１０２でＮｏの場合）には、本フローを終了する。
【０１１８】
次に、ステップＳ１０３で、温度取得部は、温度センサ２７２の出力値、即ち、撮像素子２００の周辺の温度を読み込み、ＲＡＭ１５２に書き込む。
【０１１９】
この後、ステップＳ１０４で、ＣＰＵ１５０は、温度センサ２７２の出力値がフランジバックの調整値を算出するのに適している一定範囲の温度の下限である第１の温度閾値（以降、Ｔ１と表す）以上であるか否かを判断する。また、ステップＳ１０７で、ＣＰＵ１５０は、温度センサ２７２の出力値がフランジバックの調整値を算出するのに適している一定範囲の温度の上限である第２の温度閾値（以降、Ｔ２と表す）以下であるか否かを判断する。
【０１２０】
温度センサ２７２の出力値、即ち、温度取得部により取得される温度がＴ１未満の場合（ステップＳ１０４でＮｏの場合）には、ステップＳ１０５に進む。即ち、ＣＰＵ１５０は、撮像素子２００の周辺の温度が低く、フランジバック調整に適していない状態であると判定する。そして、温度センサ２７２の出力値が素早くＴ１以上となるように、ステップＳ１０５で、温度制御部は、ファン３００の回転を止める。
【０１２１】
次に、ステップＳ１０６で、ＣＰＵ１５０は、現時点の撮像装置がフランジバック調整に適していない状態である旨を表示部２０５に表示する。このときの表示画面の例を示したのが図２６（Ａ）である。ＣＰＵ１５０は、この表示画面を表示部２０５に表示した後、ステップＳ１０３に戻る。
【０１２２】
一方、温度センサ２７２の出力値、即ち、温度取得部により取得される温度がＴ１以上の場合（ステップＳ１０４でＹｅｓの場合）には、ステップＳ１０７に進む。即ち、ＣＰＵ１５０は、続けて、温度センサ２７２の出力値がフランジバックの調整値を算出するのに適している一定範囲の温度の上限であるＴ２以下であるか否かを判断する。
【０１２３】
温度センサ２７２の出力値、即ち、温度取得部により取得される温度がＴ２以下の場合（ステップＳ１０７でＹｅｓの場合）には、ステップＳ１０８に進む。即ち、ＣＰＵ１５０は、現時点の撮像装置がフランジバック調整に適している状態であると判定する。そして、撮像素子２００の温度上昇を和らげるために、ステップＳ１０８で、温度制御部は、ファン３００を低速（第２の値）で回転し始める。
【０１２４】
次に、ステップＳ１０９で、ＣＰＵ１５０は、現時点の撮像装置がフランジバック調整に適している状態である旨を表示部２０５に表示する。このときの表示画面の例を示したのが図２６（Ｂ）である。この表示画面において、ユーザにより「はい」のボタンが押下されると、調整値算出部は、ステップＳ１１４で、フランジバック測定器５０１が装着されていることを条件に、フランジバックの調整値の算出を行う。
【０１２５】
また、ステップＳ１０７で、温度センサ２７２の出力値、即ち、温度取得部により取得される温度がＴ２を超える場合（ステップＳ１０７でＮｏの場合）には、ステップＳ１１０に進む。即ち、ＣＰＵ１５０は、現時点の撮像装置がフランジバック調整に適していない状態であると判定する。そして、撮像素子２００の周辺の温度を低くするため、温度制御部は、ファン３００を高速（第１の値）で回転し始める。
【０１２６】
次に、ステップＳ１１１で、ＣＰＵ１５０は、現時点の撮像装置がフランジバック調整に適していない状態である旨を表示部２０５に表示する。このときの表示画面の例を示したのが図２６（Ｃ）である。ＣＰＵ１５０は、この表示画面を表示部２０５に表示した後、ステップＳ１１２に進む。
【０１２７】
次に、ステップＳ１１２で、ＣＰＵ１５０は、撮像素子２００の周辺の温度が下がり、温度センサ２７２の出力値、即ち、温度取得部により取得される温度がＴ１未満であるか否かを判断する。温度センサ２７２の出力値がＴ１以上の場合（ステップＳ１１２でＮｏの場合）には、ステップＳ１１３に進む。即ち、ステップＳ１１３で、ＣＰＵ１５０は、温度センサ２７２の出力値を再び読み込み、かつＲＡＭ１５２に書き込んだ後に、ステップＳ１１２に戻る。
【０１２８】
温度センサ２７２の出力値がＴ１未満の場合（ステップＳ１１２でＹｅｓの場合）には、ステップＳ１０８に進む。即ち、ＣＰＵ１５０は、現時点の撮像装置がフランジバック調整に適している状態であると判定する。そして、撮像素子２００の温度上昇を和らげるために、ステップＳ１０８で、温度制御部は、ファン３００を低速（第２の値）で回転し始める。
【０１２９】
次に、ステップＳ１０９で、ＣＰＵ１５０は、現時点の撮像装置がフランジバック調整に適している状態である旨を表示部２０５に表示する。
【０１３０】
ステップＳ１１４における具体的なフランジバックの調整手順について説明する。
まず、フランジバック測定器５０１を撮像装置本体１００のマウント部２０８に取り付ける。この状態において、ユーザが、操作ボタン群２０３、又は図２６（Ｂ）の表示部２０５に表示されたタッチセンサ（「はい」のボタン）を押下することにより、調整値算出部によるフランジバックの調整値の算出が開始される。
【０１３１】
調整値算出部は、まず、現時点のフランジバックを測定する。フランジバック測定器５０１を用いたフランジバックの測定方法は、既に述べたので、ここでの説明を省略する。フランジバックの測定が終わると、測定値がカメラ電気通信接点部ユニット６００を通じて撮像装置本体１００のＣＰＵ１５０に送信される。即ち、図２３に示す測定ポイント５０６ａ〜５０６ｅの座標、及びマウント面２１８から各測定ポイント５０６ａ〜５０６ｅまでの距離情報が、それぞれＣＰＵ１５０に送信される。
【０１３２】
調整値算出部は、フランジバック測定器５０１からの情報と、図１３（Ａ）に示すセンサ取り付け部８０３ａ、８０３ｂ、８０３ｃの位置情報とに基づき、ユーザが実際にフランジバックの調整を行うときに必要となる調整値を算出する。ここで、フランジバックの調整値とは、現時点のフランジバックとフランジバックの正しい値との差分のことである。現時点のフランジバックとは、温度取得部により取得される温度が上述の一定範囲内に収まっている状態での現時点のフランジバックのことである。フランジバックの正しい値とは、撮像装置毎に予め決まっているフランジバックの値のことである。
【０１３３】
調整値算出部により算出された調整値は、表示部２０５に表示される。表示部２０５に実際に表示されたフランジバックの調整値の例を図２７（Ａ）に示す。
【０１３４】
図２７（Ａ）において、表示部２０５に表示される調整位置表示５１０ａ〜５１０ｃは、実際の調整位置、即ち、センサ取り付け部８０３ａ、８０３ｂ、８０３ｃの位置に対応する。また調整値は、各調整位置表示５１０ａ〜５１０ｃに付記されて視覚的に表示される。従って、ユーザは、どの調整位置をどの程度調整すれば良いかを直感的に認識できる。
【０１３５】
例えば、調整位置表示５１０ａに関して言えば、センサ取付け部８０３aとマウント面２１８との現時点の距離が正しい値よりも短く、現時点の距離に対して調整値＋０．２ｍｍだけ調整すれば、当該距離が正しい値となることを意味する。同様に、調整位置表示５１０ｂ、５１０ｃに関しては、センサ取付け部８０３ｂ、８０３ｃとマウント面２１８との現時点の距離に対して、それぞれ調整値−０．２ｍｍ、＋０．１ｍｍだけ調整すれば、当該距離が正しい値となることを意味する。
【０１３６】
尚、各距離の調整は、上述したように、センサ取り付け部８０３ａ、８０３ｂ、８０３ｃに取り付けるスペーサ８９５の厚みを変更することで行うことができる。
【０１３７】
フランジバックの調整が終わると、ステップＳ１１５に進む。即ち、調整値算出部は、ステップＳ１１５で、調整後のフランジバックが正しい値であるか否かを確認する。例えば、調整値算出部は、再び、フランジバック測定器５０１を用いて、調整後のフランジバックを測定する。調整後のフランジバックが正しい値である場合、即ち、図２７（Ａ）の各調整位置表示５１０ａ〜５１０ｃに付記される調整値が全て０である場合（ステップＳ１１５でＹｅｓの場合）には、ステップＳ１１６に進む。
【０１３８】
フランジバックの調整がＯＫである場合の表示例を図２７（Ｂ）に示す。この場合、フランジバックの調整は完了となり、ＣＰＵ１５０は、ステップＳ１１６で、フランジバック調整モードが終了しているか否かを確認する。例えば、フランジバックの調整後、ユーザが撮像装置本体１００のフランジバック調整ボタン２３５を再び押下した場合には、フランジバック調整モードが終了する。フランジバック調整モードが終了した場合（ステップＳ１１６でＹｅｓの場合）には、本フローも終了する。
【０１３９】
一方、フランジバック調整モードが終了していない場合（ステップＳ１１６でＮＯの場合）には、ステップＳ１０３に戻る。
【０１４０】
また、ステップＳ１１５で、調整後のフランジバックが正しい値でないと判断された場合（ステップＳ１１５でＮｏの場合）には、ＣＰＵ１５０は、ステップＳ１０９に戻り、再び、現時点の撮像装置がフランジバック調整に適している状態である旨を表示部２０５に表示する。即ち、ユーザが、図２６（Ｂ）の「はい」のボタンを押下すると、再び、ステップＳ１１４で、調整値算出部によるフランジバックの調整値の算出が開始される。
【０１４１】
このように、図２５のフローチャートに示す手順で撮像装置本体１００が制御されると、フランジバック調整モードでのサーミスタ出力値及びフランジバックの変化量は、図２４に示す状態から図２８に示す状態に変化する。ここで、図２８は、図２４に対応する。また、図２８では、さらに、ファン３００の状態とフランジバックの調整可否とを示す。
【０１４２】
図２８から明らかなように、ユーザが、撮像装置本体１００の電源をＯＮし、かつフランジバック調整ボタン２３５を押下すると、ファン３００の回転が止まった状態が一定期間続く。このため、温度センサ２７２により検出される温度、即ち、撮像素子２００の周辺の温度は、短時間で、Ｔ１まで上昇する。従って、撮像装置の状態は、素早く、フランジバックの調整が可能な状態になる。
【０１４３】
また、撮像装置がフランジバックの調整に適していない状態にある場合には、その旨を表示することで、不適切な状態でユーザによるフランジバックの調整が行われることを防止できる。温度センサ２７２により検出される温度、即ち、撮像素子２００の周辺の温度がＴ１になると、ファン３００が低速で回転し始めるため、撮像素子２００の周辺の温度の上昇を和らげることができる。即ち、撮像素子２００の周辺の温度Ｔは、フランジバックの調整が可能な一定範囲内（Ｔ１≦Ｔ≦Ｔ２）に長時間保持される。撮像装置がフランジバックの調整に適している状態にある場合には、その旨を表示することで、ユーザによるフランジバックの調整を高信頼度で行うことができる。
【０１４４】
さらに、温度センサ２７２により検出される温度、即ち、撮像素子２００の周辺の温度がＴ２を超えると、ファン３００が高速で回転し始める。従って、撮像素子２００及びその周辺の温度が低下し、温度センサ２７２により検出される温度も低下する。その結果、撮像素子２００の周辺の温度Ｔは、フランジバックの調整が可能な一定範囲内（Ｔ１≦Ｔ≦Ｔ２）に長時間保持される。もし、撮像装置がフランジバックの調整に適していない状態にある場合には、その旨を表示することで、不適切な状態でユーザによるフランジバックの調整が行われることを防止できる。
【０１４５】
尚、本実施形態では、温度センサ２７２により検出される温度（サーミスタ出力値）がＴ２の時点でファン３００の回転を低速から高速に変化させ、かつ温度センサ２７２により検出される温度がＴ１の時点でファン３００の回転を高速から低速に変化させる。これは、温度センサ２７２により検出される温度が、Ｔ１近傍又はＴ２近傍で、フランジバックの調整が可能な一定範囲の内と外を行き来するのを防止するためである。
【０１４６】
即ち、図２８から明らかなように、ファン３００の回転速度の切り替えをＴ１又はＴ２で行うことで、温度センサ２７２により検出される温度が、フランジバックの調整に適した一定範囲内を維持する期間を長く確保することが可能となる。
【０１４７】
また、ファン３００の回転速度の切り替えとなる閾値は、図２８の例では、Ｔ１とＴ２であるが、この閾値により決まる一定範囲は、例えば、撮像装置本体１００の内部メニューを操作し、大中小の３段階で切り替えることもできる。例えば、フランジバックに高精度が要求される撮像装置においては、当該一定範囲を「小」に設定することで、フランジバックの高精度な調整が可能となる。
【０１４８】
また、フランジバックに高精度が要求されない撮像装置においては、当該一定範囲を「大」に設定することで、フランジバックの調整に適した時間を長く確保できる。また、フランジバックにある程度の精度が要求される撮像装置においては、当該一定範囲を「中」に設定することで、一定の精度でのフランジバックの調整を可能とすると共に、フランジバックの調整に適した時間もある程度長く確保することができる。
【０１４９】
このように、本実施形態によれば、撮像装置の使用状況に応じて、最適なフランジバックの調整が可能となる。
【０１５０】
次に、フランジバック調整可否の表示状態遷移について説明する。
具体的には、フランジバックの調整が不適な状態と好適な状態とを遷移する際の切り替わり表示について説明する。
【０１５１】
図２９は、サーミスタ出力値とフランジバックの変化量を示す。
同図は、図２８に対応する。同図は、図２８と比べると、フランジバックの調整不適状態と調整好適状態との切り替わり部分に遷移期間１及び２を設けた点に特徴を有する。
【０１５２】
図３０は、フランジバック調整モードでの表示画面を示す。
同図は、図２６に対応する。同図は、図２９に示す遷移期間１〜３を設けた場合の表示画面の例である。
【０１５３】
図２９及び図３０を参照しつつ、図２５のフローを実行したときに表示される表示画面の例を説明する。
まず、ユーザにより撮像装置本体１００の電源がＯＮされると、ＣＰＵ１５０は、現時点の撮像装置が調整不適状態にある旨を表示部２０５に表示する。この表示画面の例を図３０（Ａ）に示す。
【０１５４】
次に、温度センサ２７２の出力値（サーミスタ出力値）がＴ１よりも低い閾値Ｔ１ｌｏｗ以上になると、ＣＰＵ１５０は、現時点の撮像装置が遷移期間１にある旨を表示部２０５に表示する。遷移期間１にある旨の表示とは、ユーザに、撮像装置が間もなくフランジバックの調整に適した調整好適状態になる旨を通知する表示のことである。即ち、温度センサ２７２の出力値は、間もなく上述の一定範囲内に入る。この表示画面の例を図３０（Ｂ）に示す。
【０１５５】
この後、撮像素子２００の周辺の温度がさらに上昇し、温度センサ２７２の出力値がＴ１以上になると、ＣＰＵ１５０は、現時点の撮像装置が調整好適状態にある旨、及びフランジバックの調整を行うか否かの確認を表示部２０５に表示する。この表示画面の例を図３０（Ｃ）に示す。
【０１５６】
次に、温度センサ２７２の出力値がＴ２よりも低い閾値Ｔ２ｌｏｗ以上になると、ＣＰＵ１５０は、現時点の撮像装置が遷移期間２にある旨を表示部２０５に表示する。遷移期間２にある旨の表示とは、ユーザに、撮像装置が間もなくフランジバックの調整に適しない調整不適状態になる旨を通知する表示のことである。即ち、温度センサ２７２の出力値は、間もなく上述の一定範囲から外れる。この表示画面の例を図３０（Ｄ）に示す。
【０１５７】
尚、Ｔ２ｌｏｗは、撮像装置が遷移期間２にある時間がフランジバック測定器５０１による１回の測定時間よりも長くなるように設定される。撮像装置が遷移期間２にある時間は、温度センサ２７２の出力値から予測して決定する。
【０１５８】
これは、図３０（Ｃ）の段階で「はい」のボタンが押下されていた場合に、その後、図３０（Ｄ）の表示が出ても、調整不適状態になる前に、ユーザが確実にフランジバックの調整を終えることができるようにするためである。即ち、ユーザは、調整好適状態において、フランジバックの調整を終えることができるため、高信頼度でフランジバックの調整が可能となる。
【０１５９】
この後、撮像素子２００の周辺の温度がさらに上昇し、温度センサ２７２の出力値がＴ２を超えると、ＣＰＵ１５０は、現時点の撮像装置が調整不適状態にある旨を表示部２０５に表示する。この表示画面の例を図３０（Ｅ）に示す。また、温度センサ２７２の出力値がＴ２を超えると、ファン３００が高速に回転し始めるため、この後、撮像素子２００の周辺の温度は、上昇から低下に切り替わる。
【０１６０】
また、ファン３００が高速に回転すると、温度センサ２７２の出力値は、急激に、Ｔ２を超える値からＴ２以下の値に変化する。ここで、温度センサ２７２の出力値がＴ２以下になると、調整好適状態となるが、この期間は、非常に短いので、調整不適状態としている。これは、図２８の場合も同様である。
【０１６１】
次に、温度センサ２７２の出力値がＴ１よりも高い閾値Ｔ１ｈｉｇｈ以下になると、ＣＰＵ１５０は、現時点の撮像装置が遷移期間３にある旨を表示部２０５に表示する。遷移期間３にある旨の表示とは、ユーザに、撮像装置が間もなくフランジバックの調整に適した調整好適状態になる旨を通知する表示のことである。即ち、温度センサ２７２の出力値は、間もなく上述の一定範囲内に入る。この表示画面の例を図３０（Ｆ）に示す。
【０１６２】
この後、撮像素子２００の周辺の温度がさらに低下し、温度センサ２７２の出力値がＴ１になると、ファン３００の回転が高速から低速に切り替わる。従って、この後、撮像素子２００の周辺の温度は、低下から上昇に切り替わる。また、温度センサ２７２の出力値は、一時的にＴ１未満となるが、直ちに、Ｔ１以上の値に再び変化する。
【０１６３】
温度センサ２７２の出力値がＴ１以上になると、ＣＰＵ１５０は、現時点の撮像装置が調整好適状態にある旨、及びフランジバックの調整を行うか否かの確認を表示部２０５に表示する。この表示画面の例を図３０（Ｇ）に示す。この後、調整好適状態→遷移期間２→調整不適状態→遷移期間３→調整好適状態→遷移期間２→  …  といった具合に、調整好適状態と調整不適状態が繰り返される。
【０１６４】
このように、フランジバックの調整に適しない調整不適状態と、フランジバックの調整に適している調整好適状態との間に、遷移期間１〜３を設けることで、撮像装置の状態をユーザに予告することが可能となる。従って、フランジバックの調整中に、フランジバックの調整に適しない調整不適状態となり、ユーザが高精度にフランジバックの調整を行うことができなくなる、といった事態を回避できる。
【０１６５】
（使用環境が変化する場合のフランジバックの調整）
一般的に、フランジバックの調整は、室内で行うが、撮影は、寒冷地、猛暑地などの室外で行われる場合がある。この場合、室内でフランジバックの調整を行ったとしても、室内の温度と室外の温度（室内よりも低温又は高温）との温度差により、フランジバックがずれてしまう、という問題が発生する。
【０１６６】
以下、このような使用環境が変化する場合のフランジバックの調整について説明する。
撮像装置本体１００、レンズ装置としてのレンズ鏡筒９００、フランジバック測定器５０１などの構成は、図１〜図２３で既に説明したので、ここでの説明を省略する。
【０１６７】
図３１は、フランジバック調整モードの動作を示す。
図３１は、図２５に対応する。図３１のフローチャートにおいて、図２５のフローチャートと同一のステップについては同一の参照符号を付すことによりその詳細な説明を省略する。このフローチャートは、ＣＰＵ１５０がＲＯＭ１５１内に記憶されたプログラムをＲＡＭ１５２に展開して実行することによって行われる。
【０１６８】
まず、ステップＳ１０１で、ユーザが撮像装置本体１００の電源スイッチを押すと、撮像装置本体１００が起動する。次に、ステップＳ１０２で、ＣＰＵ１５０は、ユーザによって撮像装置本体１００のフランジバック調整ボタン２３５が操作されてフランジバック調整モードに入ったか否かを判断する。
【０１６９】
フランジバック調整モードに入った場合（ステップＳ１０２でＹｅｓの場合）には、ステップＳ２０１に進み、フランジバック調整モードに入っていない場合（ステップＳ１０２でＮｏの場合）には、本フローを終了する。
【０１７０】
次に、ステップＳ２０１で、ＣＰＵ１５０の入力部は、撮像装置本体１００が使用される想定温度、即ち、使用温度の入力をユーザに促す表示画面を表示部２０５に表示する。使用温度は、撮像装置が使用される使用環境（寒冷地、猛暑地など）に基づき、ユーザ自身が決定する。ユーザは、操作ダイアル２０４、操作ボタン群２０３、又は表示部２０５上のタッチセンサなどを使用して、使用温度を入力する。使用温度の入力を行うための表示画面の例を図３２に示す。
【０１７１】
次に、ステップＳ１０３で、ＣＰＵ１５０の温度取得部は、温度センサ２７２の出力値、即ち、撮像素子２００の周辺の温度を読み込み、ＲＡＭ１５２に書き込む。この後、ステップＳ１０４が実行されるが、ステップＳ１０４以降の処理は、図２５において既に説明したので、ここでの説明を省略する。
【０１７２】
ここで、
入力された使用温度：  Ｔｕｓｅ
使用時のセンサ温度の予測値：  Ｃｕｓｅ
環境温度とセンサ温度の温度差情報：  ｄＴＣ
フランジバックの調整に適する下限温度（第１の温度閾値）：  Ｔ１
フランジバックの調整に適する上限温度（第２の温度閾値）：  Ｔ２
とすると、
Ｃｕｓｅ＝Ｔｕｓｅ＋ｄＴＣ  …（１）
Ｔ１＜Ｃｕｓｅ＜Ｔ２        …（２）
という関係が得られる。
【０１７３】
即ち、（１）式に示すように、Ｃｕｓｅは、Ｔｕｓｅ及びｄＴＣから計算する。但し、ｄＴＣは、使用時に、撮像素子２００及びその他の素子からの発熱に起因するため、予めＲＯＭ１５１に記憶される値である。また、（２）式に示すように、Ｔ１及びＴ２は、ＣＰＵ１５０の閾値決定部により、Ｃｕｓｅに基づき決定される。Ｔ１及びＴ２は、既に述べたように、上述の一定範囲の大きさを段階的（大、中、小）に変えられるものであってもよい。
【０１７４】
このように、使用環境が変化する場合に、例えば、室内でフランジバックの調整を行ったとしても、撮像装置本体１００が使用される想定温度、即ち、使用温度に基づき、調整好適状態である一定範囲を設定できる。即ち、室内でフランジバックの調整を行う場合に、撮像素子２００の周辺の温度が当該一定範囲内になることを条件に、フランジバックの調整を行うようにすれば、使用環境と同じ環境下でフランジバックの調整値を算出できる。
【０１７５】
従って、ユーザは、室内において、この調整値に基づきフランジバックの調整を行うことで、実際の撮影時、即ち、室外においても、フランジバックの変化がほとんど生じなくすることが可能となる。
【０１７６】
（ファン制御を伴わないフランジバックの調整）
ここまでの説明は、フランジバックの調整値を求めるに当たって、撮像素子２００の周辺の温度をファンの回転制御により行うことを前提とした。以下では、ファンの回転制御を伴わないフランジバックの調整について説明する。
【０１７７】
図３３は、フランジバック調整モードの動作を示す。
このフローチャートは、ＣＰＵ１５０がＲＯＭ１５１内に記憶されたプログラムをＲＡＭ１５２に展開して実行することによって行われる。
【０１７８】
まず、ステップＳ３０１で、ＣＰＵ１５０は、ユーザによって撮像装置本体１００のフランジバック調整ボタン２３５が操作されてフランジバック調整モードに入ったか否かを判断する。フランジバック調整モードに入った場合（ステップＳ３０１でＹｅｓの場合）には、ステップＳ３０２に進み、フランジバック調整モードに入っていない場合（ステップＳ３０１でＮｏの場合）には、本フローを終了する。
【０１７９】
次に、ステップＳ３０２で、ＣＰＵ１５０の入力部は、撮像装置本体１００が使用される想定温度、即ち、使用温度の入力をユーザに促す表示画面を表示部２０５に表示する。ユーザは、操作ダイアル２０４、操作ボタン群２０３、又は表示部２０５上のタッチセンサなどを使用して、使用温度を入力する。
【０１８０】
次に、ステップＳ３０３で、ＣＰＵ１５０の温度取得部は、温度センサ２７２の出力値、即ち、撮像素子２００の周辺の温度を読み込み、ＲＡＭ１５２に書き込む。この後、ステップＳ３０４で、ＣＰＵ１５０の調整値算出部は、フランジバックの調整値の算出を行う。ステップＳ３０４以降の処理は、本実施形態に特有の動作である。
【０１８１】
ここで、
入力された使用温度：  Ｔｕｓｅ
使用時のセンサ温度の予測値：  Ｃｕｓｅ
環境温度とセンサ温度の温度差情報：  ｄＴＣ
現在のセンサ温度：  Ｃｎｏｗ
現在のフランジバック値：  ＦＢｎｏｗ
温度係数：  ＴＰ
使用時のフランジバックの推定値：  ＦＢｕｓｅ
使用温度を想定したフランジバックの調整値：  ＦＢａｄｊ
とすると、
【０１８２】
使用時のフランジバックの推定値ＦＢｕｓｅは、
Ｃｕｓｅ＝Ｔｕｓｅ＋ｄＴＣ  …（３）
ＦＢｕｓｅ＝ＦＢｎｏｗ＋（Ｃｕｓｅ−Ｃｎｏｗ）×ＴＰ  …（４）
となり、
使用温度を想定したフランジバックの調整値ＦＢａｄｊは、
ＦＢａｄｊ＝ＦＢｕｓｅ−ＦＢｎｏｗ  …（５）
ＦＢａｄｊ＝（Ｃｕｓｅ−Ｃｎｏｗ）×ＴＰ  …（６）
となる。
【０１８３】
ステップＳ３０４での調整値ＦＢａｄｊの算出は、（３）式及び（６）式を用いて、以下のようにして行われる。
まず、（３）式を用いて、Ｔｕｓｅ及びｄＴＣからＣｕｓｅを計算する。ｄＴＣは、図３１のフローで述べたように、予めＲＯＭ１５１内に記憶される値である。次に、（６）式を用いて、ＦＢａｄｊを計算する。
【０１８４】
ここで、Ｃｕｓｅは、（３）式により計算済みである。Ｃｎｏｗは、現在のセンサ温度であるから、例えば、ＣＰＵ１５０の温度取得部により取得される、現在における撮像素子２００の周辺の温度である。また、ＴＰは、撮像装置本体１００のセンサ周辺の構造によって決まるため、ＲＯＭ１５１などの記憶部内に予め記憶される値である。ＴＰは、撮像素子２００の周辺の温度と撮像素子２００のフランジバックとの関係（図３４）に相当する。
【０１８５】
従って、ＣＰＵ１５０の調整値算出部は、これら使用温度、センサ温度、及び図３４の関係に基づき、撮像素子２００の周辺の温度を制御しつつ、フランジバックの調整値ＦＢａｄｊを計算できる。即ち、調整値算出部は、使用温度から使用時におけるセンサ温度の予測値Ｃｕｓｅを求め、当該予測値Ｃｕｓｅから現在におけるセンサ温度Ｃｎｏｗを減算した値に温度係数ＴＰを乗算した値を、フランジバックの調整値ＦＢａｄｊとして計算できる。
【０１８６】
図３４は、センサ温度とフランジバックとの関係を示す。
横軸は、センサ温度を示し、温度センサ２７２の出力値（サーミスタ出力値）に対応する。縦軸は、フランジバックを示す。
【０１８７】
センサ温度が現在のセンサ温度Ｃｎｏｗである場合、フランジバックは、現在のフランジバック値ＦＢｎｏｗである。また、センサ温度が撮影時のセンサ温度の予測値Ｃｕｓｅである場合、フランジバックは、撮影時のフランジバックの推定値ＦＢｕｓｅである。センサ温度とフランジバックとの関係は、直線（一次関数）で示され、その直線の傾きは、ＴＰに相当する。このように、フランジバックは、センサ温度に対して比例の関係にある。
【０１８８】
次に、ステップＳ３０５で、ＣＰＵ１５０は、ステップＳ３０４で計算されたフランジバックの調整値ＦＢａｄｊを表示部２０５に表示する。フランジバックの調整値を表示する表示画面の例を図３５に示す。
【０１８９】
ここで、ユーザは、操作ボタン群２０３、表示部２０５上のタッチセンサなどを使用して、フランジバックの調整値ＦＢａｄｊの表示方法を変更することができる。即ち、ステップＳ３０６で、ＣＰＵ１５０は、表示変更ボタンが押下されたか否かを判断する。表示変更ボタンが押下された場合（ステップＳ３０６でＹｅｓの場合）には、ステップＳ３０７に進み、表示変更ボタンが押下されない場合（ステップＳ３０６でＮｏの場合）には、ステップＳ３０２に戻る。
【０１９０】
次に、ステップＳ３０７で、ＣＰＵ１５０は、ステップＳ３０６でのユーザによる表示変更ボタンの押下に対応して、調整位置毎に、フランジバックの調整値ＦＢａｄｊを表示する。以下、ステップＳ３０７の詳細を説明する。
【０１９１】
ステップＳ３０７では、フランジバックの調整が必要な位置毎に、フランジバックの調整値ＦＢａｄｊが表示される。例えば、ステップＳ３０６で表示変更ボタンが押下されると、ステップＳ３０７では、最初に、調整ビス２２２ａにおける調整値ＦＢａｄｊが表示される。この後、再び、表示変更ボタンが押下されると、表示部２０５における表示は、調整ビス２２２ａにおける調整値ＦＢａｄｊから、調整ビス２２２ｂにおける調整値ＦＢａｄｊに切り替わる。さらに、再び、表示変更ボタンが押下されると、表示部２０５における表示は、調整ビス２２２ｂにおける調整値ＦＢａｄｊから、調整ビス２２２ｃにおける調整値ＦＢａｄｊに切り替わる。
【０１９２】
従って、ユーザは、調整位置毎に、フランジバックの調整を行うことができる。
【０１９３】
また、ステップＳ３０６で、ユーザにより表示変更ボタンが押下された場合に、図３６（Ａ）に示すような画面に切り替わるような制御を行うことも可能である。図３６（Ａ）によれば、１つの表示画面内に、全ての調整位置と、各調整位置で必要なフランジバックの調整値ＦＢａｄｊと、が同時に表示される。
【０１９４】
図３６（Ａ）において、表示部２０５に表示される調整位置表示５１１ａ〜５１１ｃは、実際の調整位置、即ち、図３７（Ａ）における調整ビス２２２ａ〜２２２ｃの位置に対応する。また調整値は、各調整位置表示５１１ａ〜５１１ｃに付記されて視覚的に表示される。従って、ユーザは、どの調整位置をどの程度調整すれば良いかを直感的に認識できる。
【０１９５】
例えば、調整位置表示５１１ａに関して言えば、調整ビス２２２ａを時計回りに＋３０°だけ回転させれば、フランジバックが正しい値となる。同様に、調整位置表示５１１ｂ、５１１ｃに関して言えば、それぞれ、調整ビス２２２ｂを反時計回りに−４５°だけ回転させ、調整ビス２２２ｃを反時計回りに−１５°だけ回転させれば、フランジバックが正しい値となる。
【０１９６】
尚、ステップＳ１１４でのフランジバックの調整では、ユーザが実撮影を行う際に、使用温度を入力して調整を行うため、正面カバーユニットを取り外さずに当該調整が可能である第２のフランジバック調整機構を用いるのが望ましい。
【０１９７】
フランジバックの調整が終わると、ステップＳ１１５に進む。即ち、ＣＰＵ１５０の調整値算出部は、ステップＳ１１５で、調整後のフランジバックが正しい値であるか否かを確認する。即ち、調整値算出部は、フランジバックの調整によりフランジバックが正しい値になったと判断した場合（ステップＳ１１５でＹｅｓの場合）には、図３６（Ａ）の表示画面から図３６（Ｂ）の表示画面に切り替えた後に、ステップＳ３０８に進む。
【０１９８】
次に、ステップＳ３０８で、ＣＰＵ１５０は、フランジバック調整モードが終了しているか否かを確認する。例えば、フランジバックの調整後、ユーザが操作ボタン群２０３の操作によってフランジバック調整モードを終了した場合（ステップＳ３０８でＹｅｓの場合）には、本フローも終了する。一方、フランジバック調整モードが終了していない場合（ステップＳ３０８でＮｏの場合）には、ステップＳ３０２に戻る。
【０１９９】
また、ステップＳ１１５で、調整値算出部は、図３６（Ａ）の表示画面に従い、フランジバックの調整を行っても、調整後のフランジバックが正しい値になっていないと判断した場合（ステップＳ１１５でＮｏの場合）には、ステップＳ３０７に戻る。
【０２００】
そして、再度のステップＳ３０７では、調整値算出部は、フランジバック測定器５０１を用いて、各調整ビス２２２ａ〜ｃでの調整値ＦＢａｄｊを算出し、表示部２０５に表示する。また、ユーザは、ステップＳ１１４で、表示部２０５に表示された調整値ＦＢａｄｊに基づき、各調整ビス２２２ａ〜ｃを回転し、フランジバックの調整を行う。
【０２０１】
以上、説明したように、本実施形態によれば、撮像装置がフランジバック調整モードを備え、かつ当該モードにおいて、例えば、ファン３００の回転数の制御により、撮像素子２００の周辺の温度を一定範囲内に維持する。即ち、撮影時の使用環境と同じ環境を作り出した状態でフランジバックの調整値を算出するため、正しく調整されたフランジバックが実際の撮影時にずれてしまうといった問題が生じない。
【０２０２】
従って、ユーザが想定する任意の使用環境下において使用時にフランジバックのずれが発生しない高信頼度のフランジバックの調整工程を実現できる。また、本実施形態によれば、撮像素子２００の周辺の温度に基づき、フランジバックの調整に適する調整好適状態と、フランジバックの調整に適さない調整不適状態と、をユーザに知らせることも可能である。
【０２０３】
また、本実施形態では、フランジバックの調整位置と、その調整位置におけるフランジバックの調整値とを同時に表示可能であると共に、当該表示は、調整値を定量的に表し、かつ実際の撮像装置の調整位置をそのまま表示する。従って、ユーザは、どの調整位置をどの程度調整すれば良いかを直感的かつ容易に認識できる。
【０２０４】
さらに、本実施形態によれば、第１のフランジバック調整機構により大きな幅での調整、即ち、調整後にフランジバックが容易にずれない固い調整が可能である。また、第２のフランジバック調整機構により小さな幅での調整、即ち、高精度なフランジバックの調整も同時に可能である。従って、工場の組み立て工程では、厳密、かつ一定の調整幅でのフランジバックの調整が可能であり、使用現場では、フランジバックの微調整が可能となる。これら２つのフランジバックの調整を併用することにより、任意の使用環境下において、高精度なフランジバックの調整が可能となる。
【０２０５】
尚、ファン３００の制御に関しては、複数の冷却ファンを用いて、撮像素子２００の周辺の温度を制御するといった実施形態も有効である。即ち、複数の冷却ファンの各々について、停止／動作、回転数、正回転／逆回転など、の制御を個別に行うことも可能である。
【０２０６】
（レンズ鏡筒を装着した状態でのフランジバックの調整）
上述の実施形態は、フランジバックの調整を行うに当たって、フランジバック測定器５０１を用いてフランジバックを測定し、その測定結果から調整値を算出する工程を含む。これに対し、以下の実施形態は、撮像装置本体１１００にレンズ装置としてのレンズ鏡筒１９００を装着した状態、即ち、フランジバック測定器５０１を装着する工程無しに、フランジバックの調整を行うことが可能な例を説明する。
【０２０７】
尚、以下の実施形態において、上述の実施形態と同じ部分については同じ符号を使用することで、その詳細な説明を省略する。
【０２０８】
近年、画素数が多い、例えば、８Ｋカメラのような高画質なカメラが実用化されている。このようなカメラでは、フランジバックの調整においても、通常のカメラよりも高精度が求められる。従って、カメラシステム全体に関しても、高精度のフランジバック調整に対応可能なシステム構成を提案する必要がある。
【０２０９】
この場合、フランジバックの測定は、マウント面から撮像素子までの距離を直接測る方法ではなく、解像チャートの撮影によりフランジバックがずれているか否かの確認を行うのが望ましい。この確認方法でフランジバックのずれが確認された場合、カメラの電源を落とした後、レンズ及びマウントユニットを取り外し、フランジバックを調整するためのスペーサを変更する、というのが一般的な方法となる。
【０２１０】
しかし、この確認方法では、以下の３つの問題により、高精度のフランジバックの調整が行えなくなる。即ち、１つ目は、カメラの電源を落とすことにより、カメラ本体が冷えてしまい、その結果、フランジバックのずれが発生するという問題である。２つ目は、レンズを取り外すことにより、レンズ及びマウント間のチャッキングのばらつきが生じ、その結果、フランジバックのずれが発生するという問題である。３つ目は、カメラ本体からレンズへの電力の供給が切れてしまうことにより、レンズの発熱が止まり、レンズが冷え、その結果、フランジバックのずれが発生するという問題である。
【０２１１】
これらの問題を解決するためには、カメラにレンズを装着した状態、即ち、レンズから本体まで通電させた状態で、フランジバックの調整を行うことが有効である。そこで、以下の実施形態では、レンズ鏡筒を装着した状態でのフランジバックの調整について、詳細に説明する。
【０２１２】
図３８は、撮像装置本体へのレンズ鏡筒の着脱に関わる外観斜視図を示す。図３８（Ａ）は、撮像装置本体１１００にレンズ鏡筒１９００を装着する前の状態の外観斜視図である。図３８（Ｂ）は、撮像装置本体１１００にレンズ鏡筒１９００を装着した後の状態の外観斜視図である。
【０２１３】
図３８に示すように、正面カバーユニット１２００は、撮像装置本体１１００の正面側（被写体側）に配置される。正面カバーユニット１２００は、交換式のレンズ鏡筒１９００が着脱可能である。また、レンズ鏡筒１９００と撮像装置本体１１００とは、レンズ鏡筒１９００のレンズ電気通信接点部１９０１と接点部１２０１を介して電気的に通信することが可能である。また、レンズ鏡筒１９００の駆動部及びＣＰＵなどを動かすための電力は、接点部１２０１を介してそれらに供給される。
【０２１４】
撮像装置本体１１００へのレンズ鏡筒１９００の装着は、既知である以下の操作方法を用いる。まず、図３８（Ａ）で示す状態から、レンズ鏡筒１９００に備えられたレンズマウント面１９０２をマウント部１２０２に接触させる。この後、マウントノブ１２０３ａ、１２０３ｂを反時計回りに締め込む。これらを締め込んだ後の状態が、図３８（Ｂ）で示す状態である。図３８（Ｂ）の状態は、撮像装置本体１１００にレンズ鏡筒１９００が装着され、かつ固定された状態である。この状態は、接点部１２０１とレンズ電気通信接点部１９０１とが互いに電気的に接続されるため、電気通信が相互に可能な状態である。
【０２１５】
図３８（Ｂ）で示す状態では、撮像素子２００は、レンズ鏡筒１９００の撮像光学系を通過して結像した被写体像を光電変換し、不図示の画像処理部に出力できる。撮像装置本体１１００では、フランジバックを調整するために、マウントユニット締結部材１２０４ａ〜１２０４ｅを取り外し、マウントユニット１２５０を前方に引き出せる。
【０２１６】
図３９は、撮像装置本体にレンズ鏡筒を装着した状態で、マウントユニットを引き出した状態の外観斜視図を示す。
【０２１７】
図４０は、正面カバーユニットの外観斜視図を示す。図４０（Ａ）は、正面カバーユニット１２００を上側前方より見た外観斜視図である。図４０（Ｂ）は、マウントユニット１２５０を引き出した状態の正面カバーユニット１２００を上側前方より見た外観斜視図である。図４０（Ｃ）は、図４０（Ｂ）の状態を上側後方より見た外観斜視図である。また、正面カバーユニット１２００の撮像装置本体１１００への取り付けは、撮像装置本体１１００に直接取り付ける。
【０２１８】
図３９及び図４０に示すように、調整板接地面１２１１ａ〜１２１１ｃは、マウントユニット１２５０を引き出すことにより露出する。これらが露出した状態で、フランジバックの調整又はあおり調整は、調整板接地面１２１１ａ〜１２１１ｃに配置される調整板１２１２の数を減らす／増やす、又は調整板１２１２の厚みを変えることにより行う。フランジバックの調整及びあおり調整の詳細に関しては、後述する。
【０２１９】
次に、正面カバーユニット１２００の構造、及び組み立て作業について説明する。
図４１は、撮像素子ユニットの周辺を上側前方より見た分解斜視図を示す。図４２は、図４１を下側後方より見た分解斜視図を示す。図４３は、図４１の構造に外観部品を取り付ける状態を示す分解斜視図を示す。図４４は、マウントユニットの周辺を上側後方より見た分解斜視図を示す。図４５は、正面カバーユニットへのマウントユニットの取り付けに関する分解斜視図を示す。
【０２２０】
まず、図４１に示すように、フロントベース１２１３にＮＤユニット１２６０を取付ける作業を行う。撮像装置本体１１００は、ＮＤユニット１２６０を備えるため、撮像素子２００に届く光量を減光できる。ＮＤユニット１２６０は、４つの締結部材１２７１により、フロントベース１２１３に締結される。
【０２２１】
次に、保護ユニット５００を取付ける作業を行う。保護ユニット５００は、４つの締結部材１２７２によりフロントベース１２１３に取り付けられる。撮像装置本体１１００は、ＮＤユニット１２６０の前方に保護ユニット５００を備えるため、ＮＤユニット１２６０への傷及び汚れを防ぐことができる。
【０２２２】
次に、図４２に示すように、フロントベース１２１３に撮像素子ユニット２７０を取り付ける作業を行う。撮像素子ユニット２７０とフロントベース１２１３との間にスペーサ８９５を挟み込み、３つの締結部材１２７３で締結することにより、撮像素子ユニット２７０を取り付ける。工場の組み立て工程などで行われるフランジバックの調整及びあおり調整は、挿入されるスペーサ８９５の数、又は厚み変えることにより行われる。
【０２２３】
次に、図４３に示すように、撮像素子ユニット２７０及びＮＤユニット１２６０が取り付けられたフロントベース１２１３に外観部品を取付ける作業を行う。外観部品を含むフロント固定ユニット１２１７は、撮像素子ユニット２７０及びＮＤユニット１２６０が取り付けられたフロントベース１２１３に、６つの締結部品１２７４により締結される。
【０２２４】
次に、外観部品であるマウントカバー１２１８を４つの締結部材１２７５によりフロント固定ユニット１２１７に締結する作業を行う。
【０２２５】
次に、図４４に示すように、マウントユニット１２５０への接点ユニット１２１９の取り付け作業を行う。接点ユニット１２１９は、２つの締結部材１２７６によりマウントユニット１２５０に取り付けられる。接点ユニット１２１９は、マウントユニット１２５０が引き出されてもレンズ鏡筒１９００と通信可能にするために、レンズ通信ケーブル１２２３を有する。レンズ通信ケーブル１２２３は、マウントユニット１２５０を引き出すとき、及び固定するときのそれぞれにおいて、屈曲状態となる。レンズ通信ケーブル１２２３がフレキシブルケーブルであれば、このような引き出し時及び固定時においても、レンズ通信ケーブル１２２３がダメージを受けることがない。
【０２２６】
最後に、図４５に示すように、マウントユニット１２５０を取付ける作業を行う。まず、マウントユニット１２５０に接続された接点ユニット１２１９は、本体接点部１２２０に接続される。これにより、撮像装置本体１１００からの電気信号は、接点部１２０１まで通電されるため、撮像装置本体１１００とレンズ鏡筒１９００との間の通信が可能となる。また、接点ユニット１２１９と本体接点部１２２０の接続の嵌合力は、強いため、マウントユニット１２５０の引き出し時でも外れることはない。
【０２２７】
次に、スライド脚摺動部１２２５ａ〜１２２５ｄにスライド脚部１２２１ａ〜１２２１ｄを通した状態で、スライド脚部１２２１ａ〜１２２１ｄとマウントユニット１２５０を４つの締結部材１２７７により締結する。スライド脚部１２２１ａ〜１２２１ｄとマウントユニット１２５０とを締結することにより、固定状態と引き出し状態の間で、フロントベース１２１３は、マウントユニット１２５０をスライド移動可能に支持できる。
【０２２８】
フロントベース１２１３は、調整板１２１２を設置するための調整板接地面１２１１ａ〜１２１１ｃを備える。調整板接地面１２１１ａ〜１２１１ｃに設置する調整板１２１２の数又は厚みを調整することで、フランジバックの調整及びあおり調整を行うことができる。この後、フロントベース１２１３とマウントユニット１２５０とで調整板１２１２を挟み込む。この時、マウントユニット１２５０が有するマウントユニット位置決め孔１２５１とフロントベース１２１３が有するフロントベース位置決めボス１２２２とを嵌合させる。
【０２２９】
両者の嵌合により、フロントベース１２１３とマウントユニット１２５０との位置決めは、正確に行われる。従って、撮像素子ユニット２７０の中心とレンズ鏡筒１９００の光軸中心とがずれ難い。また、スライド脚部１２２１ａ〜１２２１ｄとスライド脚摺動部１２２５ａ〜１２２５ｄとの嵌合隙間は、マウントユニット位置決め孔１２５１とフロントベース位置決めボス１２２２との嵌合隙間よりも大きくなる。
【０２３０】
以上の作業を経た後、マウントユニット締結部材１２０４ａ〜１２０４ｅを用いて、マウントユニット１２５０をフロントベース１２１３に締結することにより、マウントユニット１２５０は、フロントベース１２１３に固定される。
【０２３１】
次に、フランジバックの調整機構について説明する。
図４６は、調整板の挿抜状態を示す。
図４６（Ａ）は、調整板１２１２を挿抜するために、マウントユニット１２５０を引き出した状態の正面カバーユニット１２００を横から見た図である。図４６（Ｂ）は、正面カバーユニット１２００から便宜的にマウントユニット１２５０を取り外した状態を上側前方より見た斜視図である。
【０２３２】
図４７は、正面カバーユニットの断面を示す。
図４７（Ａ）は、正面カバーユニット１２００を前方から見た図である。図４７（Ｂ）は、図４７（Ａ）のＦ−Ｆ線に沿う断面図である。図４７（Ｃ）は、図４７（Ｂ）の状態からマウントユニット１２５０を引き出した状態を示す断面図である。
【０２３３】
図４８は、正面カバーユニットのマウントユニットのスライド機構を示す。
図４８（Ａ）は、正面カバーユニット１２００にマウントユニット１２５０を固定した状態を示す図である。図４８（Ｂ）は、正面カバーユニット１２００からマウントユニット１２５０を引き出した状態を示す図である。これらの図は、正面カバーユニット１２００から外装部品を取り外した状態を示す。
【０２３４】
図４９は、調整板の挿抜空間及びスライド脚部の位置関係を示す。
同図は、正面カバーユニット１２００を前方より見た図である。
【０２３５】
上述したように、撮像装置本体１１００は、レンズ鏡筒１９００を装着した状態でもマウントユニット締結部材１２０４ａ〜１２０４ｅを取り外し、マウントユニット１２５０を前方に引き出すことができる。この状態が図４６（Ａ）で示す状態（レンズ鏡筒１９００は不図示）であり、調整板１２１２を挿抜できることが分かる。
【０２３６】
図４６（Ａ）に示す状態においては、フロント固定ユニット１２１７とマウントユニット１２５０との間に、調整板１２１２を挿抜するための空間ができる。図４６（Ｂ）及び図４９に示すように、撮像装置本体１１００は、フランジバックの調整と同時に、あおり調整も行うために、３箇所の調整板接地面１２１１ａ〜１２１１ｃを備える。
【０２３７】
図４６（Ｂ）では、調整板１２１２を取り外した状態の、調整板接地面１２１１ａの拡大図も示す。この図から明らかなように、板金である調整板１２１２は、平らな面である調整板接地面１２１１ａ上に設置できる。また、調整板１２１２は、調整板接地面１２１１ｂ〜１２１１ｃ上にも設置可能である。図４９に示すように、３箇所の調整板接地面１２１１ａ〜１２１１ｃは、光軸の円周方向に、ほぼ等間隔（約１２０度の等間隔）で設置される。
【０２３８】
また、撮像装置本体１１００は、撮像装置本体１１００からレンズ鏡筒１９００に電力供給及び通信を行うための、接点ユニット１２１９を備える。撮像装置本体１１００の小型化のためには、調整板接地面１２１１ａ〜１２１１ｃ間に接点ユニット１２１９を設置するのが望ましい。撮像装置本体１１００は、下方向の調整板接地面１２１１ｂ〜１２１１ｃ間に接点ユニット１２１９を設置するが、調整板接地面１２１１ａ〜ｃ間であれば、いずれの空間に接点ユニット１２１９が設置されても問題は無い。
【０２３９】
図４７に示すように、接点ユニット１２１９は、マウントユニット１２５０が引き出されてもレンズ鏡筒１９００と通信可能にするために、レンズ通信ケーブル１２２３を備える。マウントユニット１２５０の固定時には、図４７（Ｂ）に示すように、レンズ通信ケーブル１２２３は、撮像装置本体１１００内に収納される。この状態からマウントユニット１２５０を引き出すと、レンズ通信ケーブル１２２３は、図４７（Ｃ）に示すように、前方に引き出される。
【０２４０】
正面カバーユニット１２００の引き出し時、レンズ通信ケーブル１２２３に余計な負荷が加わらないようにするため、正面カバーユニット１２００のスライド量を規制する必要がある。図４８に示すように、マウントユニット１２５０は、撮像素子ユニット２７０及びフロントベース１２１３に対して光軸方向にスライドする。スライド脚部１２２１ａ〜１２２１ｄとフロントベース１２１３に設置されたスライド脚摺動部１２２５ａ〜１２２５ｄとが摺動することにより、マウントユニット１２５０は、スライド可能となる。
【０２４１】
このスライドの移動量を規制するために、スライド脚部１２２１ａ〜１２２１ｄは、スライド規制部１２２４ａ〜１２２４ｄを有する。図４８に示すように、引き出し時において、スライド脚部当接面１２２１ａ´〜１２２１ｄ´とスライド脚摺動部当接面１２２５ａ´〜１２２５ｄ´は、当接する。これらが当接することにより、スライドの移動量が規制される。このように、スライドの移動量が規制されることで、レンズ通信ケーブル１２２３に余計な負荷が加わらない。
【０２４２】
スライド脚部１２２１ａ〜１２２１ｄは、スライド規制部１２２４ａ〜１２２４ｄを備え、スライドの移動量を規制する他に、以下の機能も有する。それは、マウントユニット１２５０の引き出し時に、レンズ鏡筒１９００を装着した状態でも、正面カバーユニット１２００及びレンズ鏡筒１９００を支える支持機能である。この支持機能を実効あらしめるため、スライド脚部１２２１ａ〜ｄは、ステンレスなどの強度を有する材質から成形されることが望ましい。
【０２４３】
また、スライド脚部１２２１ａ〜１２２１ｄは、この支持機能を有しつつも、調整板１２１２の挿抜を阻害しない位置に配置されることが求められる。そこで、以下では、調整板１２１２の挿抜を阻害しないスライド脚部１２２１ａ〜１２２１ｄの位置について説明する。
【０２４４】
図４６（Ａ）で示すように、マウントユニット１２５０を引き出すと、マウントユニット１２５０と正面カバーユニット１２００との間に調整板１２１２を挿抜するための作業空間ができる。図４９は、マウントユニット１２５０を取り外した状態でのスライド脚部１２２１ａ〜１２２１ｄの位置を示す。
【０２４５】
調整板１２１２の挿抜を行うための作業空間は、Ａ〜Ｃである。作業空間Ａは、スライド脚部１２２１ａとスライド脚部１２２１ｂとの間において、上側から、調整板接地面１２１１ａに調整板１２１２を挿抜する空間である。作業空間Ｂは、スライド脚部１２２１ｃよりも下側で、かつ接点ユニット１２１９よりも左側の位置において、左側から調整板接地面１２１１ｂに調整板１２１２を挿抜する空間である。作業空間Ｃは、スライド脚部１２２１ｄよりも下側で、かつ接点ユニット１２１９よりも右側の位置で、右側から調整板接地面１２１１ｃに調整板１２１２を挿抜する空間である。
【０２４６】
ユーザによる作業の容易性を考慮すると、これらの作業空間Ａ〜Ｃをできるだけ大きく確保できる位置にスライド脚部１２２１ａ〜１２２１ｄを配置することが望ましい。そのために、撮像装置本体１１００では、図４９に示すように、スライド脚部１２２１ｃ、１２２１ｄと光軸中心との間の距離Ｘをできるだけ短くする。
【０２４７】
この場合、作業空間Ｂ〜Ｃを広く確保することができ、ユーザによる調整板１２１２の挿抜を容易化することができる。また、距離Ｘを短くするほど、作業空間Ｂ〜Ｃが広くなるため、作業の容易性は良くなる。さらに、スライド脚部１２２１ｃ〜１２２１ｄを調整板接地面１２１１ｂ〜１２１１ｃよりも下方向に配置すると、調整板接地面１２１１ｂ〜１２１１ｃに調整板１２１２を挿抜するための作業空間を広く確保できる。但し、正面カバーユニット１２００の上下方向の大型化を招かないためには、スライド脚部１２２１ｃ〜１２２１ｄは、調整板接地面１２１１ｂ〜１２１１ｃよりも下方向に配置しないのが望ましい。
【０２４８】
正面カバーユニット１２００及びレンズ鏡筒１９００を支える機能を考慮すると、スライド脚部１２２１は、光軸周方向のどの方向から力を受けてもこれらを支えるだけの強度を有する必要がある。従って、スライド脚部１２２１は、互いにある程度の距離を確保した状態で配置され、かつ３箇所以上に配置されることが望ましい。本実施形態の撮像装置本体１１００では、強度及び小型化を考慮して、スライド脚部１２２１は、４箇所に配置される。
【０２４９】
また、スライド脚部１２２１ａ、１２２１ｂと光軸中心との間の距離Ｙは、スライド脚部１２２１ｃ、１２２１ｄと光軸中心との間の距離Ｘよりも長くし、当該強度を確保する。これにより、光軸周方向のどの方向から力を受けてもこれらを支えるだけの強度、及び調整板１２１２の挿抜の容易性を同時に実現する。
【０２５０】
また、正面カバーユニット１２００の上下方向の大型化を避けるために、撮像装置本体１１００では、距離Ｙと、光軸中心から調整板接地面１２１１ａまでの距離とをほぼ同じとする。尚、距離Ｙが長くなっても、スライド脚部１２２１ａとスライド脚部１２２１ｂとの間の作業空間Ａは、狭くならないため、調整板接地面１２１１ａへの調整板１２１２の挿抜作業の容易性を損なうことはない。
【０２５１】
図５０は、正面カバーユニットの調整板接地面の周辺を拡大した図を示す。
図５０（Ａ）は、調整板１２１２が無い状態の拡大図であり、図５０（Ｂ）は、調整板１２１２を設置した状態の拡大図である。
【０２５２】
撮像装置本体１１００は、レンズ鏡筒１９００を装着した状態で、マウントユニット１２５０を引き出し、フランジバックの調整を行うことができる。しかし、レンズ鏡筒１９００を装着した状態では、基本的には、撮影状態、即ち、光軸を地面と水平にした状態の方が安定する。この場合、従来のカメラでは、調整板接地面が地面と垂直になってしまい、調整板を設置した際に落下してしまう恐れがある。
【０２５３】
そこで、本実施形態では、調整板接地面１２１１ａの鉛直上方向に、調整板１２１２を吊り下げるための突起である調整板接地突起部１２２６ａが配置される。調整板接地突起部１２２６ａは、調整板接地面１２１１ａ〜１２１１ｃが地面と垂直であっても、調整板１２１２を設置することを可能にする機能を有する。尚、調整板接地面１２１１ｂ〜１２１１ｃも、調整板接地突起部１２２６ａと同様の形状を有する調整板接地突起部１２２６ｂ〜１２２６ｃ（不図示）を備える。
【０２５４】
また、調整板接地突起部１２２６ａの根本と調整板接地面位置決めボス１２２７ａとに調整板１２１２の孔形状を通すことにより、調整板１２１２の位置が決まる。調整板接地面１２１１ｂ〜１２１１ｃも、調整板接地面位置決めボス１２２７ａと同様の形状を有する調整板接地面位置決めボス１２２７ｂ〜１２２７ｃ（不図示）を備える。
【０２５５】
次に、具体的なフランジバックの調整及びあおり調整の手順を説明する。
まず、撮像装置本体１１００にレンズ鏡筒１９００を装着し、かつ撮像装置本体１１００の電源をＯＮにする。この後、上述のフランジバック調整モードが開始される。
【０２５６】
フランジバック調整モードにおいて、撮像装置本体１１００がフランジバックの調整好適状態にある場合、ＣＰＵ１５０は、撮像装置本体１１００が当該調整好適状態にある旨を表示部２０５に表示する。また、レンズ鏡筒１９００が撮像装置本体１１００に装着され、かつ当該レンズ鏡筒１９００がフランジバックの調整に適している鏡筒好適状態である場合、ＣＰＵ１５０は、フランジバックの調整を行うことができる旨を表示部２０５に表示する。
【０２５７】
ここで、鏡筒好適状態となるためには、以下の条件が必要である。
レンズ鏡筒１９００が装着された状態では、撮像装置本体１１００からレンズ鏡筒１９００にレンズ電気通信接点部１９０１を通して電力が供給される。この電力により、レンズ鏡筒１９００に内蔵されたＣＰＵ、手振れ補正機構などの駆動部は、発熱する。また、この発熱により、レンズ鏡筒１９００は、熱膨張を起こすため、フランジバックのずれが発生する恐れが生じる。
【０２５８】
レンズ鏡筒１９００は、電力の供給により温度上昇を続けるが、ある一定の温度で熱飽和を起こし、熱膨張が止まる。レンズ鏡筒１９００は、サーミスタなどの温度センサを有するのが一般的であるので、この温度センサによりレンズ鏡筒１９００の温度を検出する。そして、レンズ鏡筒１９００は、温度センサの出力値の変位がある一定量以下になったら、熱飽和であると判断する。レンズ鏡筒１９００は、熱飽和を検知すると、その情報をレンズ電気通信接点部１９０１を通して撮像装置本体１１００に送る。
【０２５９】
撮像装置本体１１００内の判断部は、レンズ鏡筒１９００からの熱飽和の情報を受け取ると、レンズ鏡筒１９００がフランジバックの調整に適している鏡筒好適状態にあると判断する。従って、判断部は、撮像装置本体１１００が調整好適状態にあり、かつレンズ鏡筒１９００が鏡筒好適状態にある場合に、フランジバックの調整を行うことができる旨の画面を表示部２０５に表示する。
【０２６０】
ユーザは、フランジバックの調整を行うことができる旨の画面が表示部２０５に表示されている場合に、フランジバックの調整及びあおり調整を行うことができる。また、ユーザは、この表示が出たときに、フランジバック調整ＡＦモードを設定できる。フランジバック調整ＡＦモードでは、撮像素子ユニット２７０からある一定の距離Ｌに解像度チャートが設置される。この後、ユーザは、撮像装置本体１１００のＡＦボタン（不図示）を押下する。ＡＦボタンが押下されると、ＣＰＵ１５０は、レンズ鏡筒１９００に焦点が合う距離をＬに設定する。
【０２６１】
撮像装置本体１１００では、撮影範囲内の３箇所の測距位置１３００ａ〜１３００ｃ（不図示）において焦点が合っているかの測定を行う。測距位置１３００ａ〜１３００ｃの３箇所において測距する理由は、フランジバックのずれを確認する他に、あおりのずれを確認するためである。フランジバックが正しければ、測距位置１３００ａ〜１３００ｃの３箇所ともに解像チャートに焦点が合い、フランジバックの調整が不要である旨の画面が表示部２０５に表示される。
【０２６２】
しかし、フランジバックが正しくない場合、測距位置１３００ａ〜１３００ｃで合焦しない。測距位置１３００ａ〜１３００ｃのうち一箇所でも合焦しない位置がある場合、以下の動作を行う。その動作とは、撮像装置本体１１００がレンズ鏡筒１９００の測距ＡＦ機能を使用し、測距位置１３００ａ〜１３００ｃの３箇所で、距離Ｌに対して焦点の合う距離がどれくらいずれているのか、を測定する動作である。
【０２６３】
この距離のずれ量に対して、調整板接地面１２１１ａ〜１２１１ｃの調整板１２１２をどの程度調整するかのデータは、レンズ鏡筒１９００が有している。そのため、撮像装置本体１１００は、レンズ鏡筒１９００に距離のずれ量のデータを送信すると、レンズ鏡筒１９００は、調整板接地面１２１１ａ〜１２１１ｃの調整板１２１２のデータを撮像装置本体１１００に送信する。
【０２６４】
この時、撮像装置本体１１００では、表示部２０５に、調整板接地面１２１１ａ〜１２１１ｃのそれぞれに対して、調整板１２１２の調整値が表示される。この後、ユーザは、マウントユニット１２５０を引き出した後、表示部２０５に表示された調整値に基づき、調整板１２１２を調整することで、フランジバックの調整及びあおり調整が完了する。
【０２６５】
以上により、レンズ鏡筒１９００が撮像装置本体１１００に装着された状態でフランジバックの調整を行っても、従来、発生していた各種フランジバックのずれの問題を解消でき、その結果、高精度のフランジバックの調整及びあおり調整が可能となる。
【０２６６】
（その他の実施形態）
尚、本発明は、上述の実施形態に例示したものに限定されるものではなく、材質、形状、寸法、形態、数、配置箇所などは、本発明の要旨を逸脱しない範囲において適宜変更可能である。
【０２６７】
例えば、撮像素子２００の周辺の温度を一定範囲内に保つために、ファン３００の回転制御に変えて、又はそれに加えて、撮像素子２００の読み出し速度、撮像素子２００に流れる電流値などを制御してもよい。また、フランジバックの調整の可否状態をユーザに示す手段として、表示部２０５に表示する画面に代えて、撮像装置本体に備え付けられたＬＥＤランプの点灯／消灯、点灯パターン、点灯色などによる識別方法を採用してもよい。
【０２６８】
また、上述の実施形態における各機能は、撮像装置の動作として実現することも、撮像装置の制御方法として実現することも、さらには、コンピュータが実行可能なプログラムとして実現することも可能である。尚、当該プログラムは、例えば、コンピュータが読み取り可能な記録媒体に記録される。
【０２６９】
また、上述の実施形態は、フランジバックの調整について説明を行ったが、例えば、ここで説明した技術を撮像素子の傾きを補正することに応用することも可能である。また、本発明は、上述の実施形態の１以上の機能を実現するプログラムを、ネットワーク又は記憶媒体を介してシステム又は装置に供給し、そのシステム又は装置のコンピュータ内の１以上のプロセッサがプログラムを読み出し実行する処理でも実現可能である。また、１以上の機能を実現する回路（例えば、ＡＳＩＣ）によっても実現可能である。
【０２７０】
（むすび）
以上、説明したように、本発明によれば、撮影時の使用環境と同じ環境を作り出した状態でフランジバックの調整値を算出することで、実際の撮影時にフランジバックのずれがほとんど生じない撮像装置、その制御方法、及びプログラムを実現できる。
【符号の説明】
【０２７１】
１００ ・・・・ 撮像装置本体
１５０ ・・・・ ＣＰＵ
１５１ ・・・・ ＲＯＭ
１５２ ・・・・ ＲＡＭ
１５３ ・・・・ 記録部
１５４ ・・・・ 温度センサ
１５５ ・・・・ 操作部
２００ ・・・・ 撮像素子
２０１ ・・・・ 撮像ボタン
２０２ ・・・・ 電源ボタン
２０３ ・・・・ 操作ボタン群
２０４ ・・・・ 操作ダイアル
２０５ ・・・・ 表示部
２０６ ・・・・ 撮影ボタン
２０８ ・・・・ マウント部
２１０ ・・・・ カード蓋
２１８ ・・・・ マウント面
２１９ ・・・・ マウント回転部
２２０ ・・・・ 外部入出力端子部
２２２ ・・・・ 調整ビス
２３０ ・・・・ 吸気口
２３５ ・・・・ フランジバック調整ボタン
２３８ ・・・・ 調整ビス収納部
２４０ ・・・・ 排気口
２４８ａ、２４８ｂ、２４８ｃ ・・・・ 貫通穴
２４９ ・・・・ 調整用空間  
２５０ ・・・・ メインユニット
２５１ ・・・・ 正面カバーユニット
２５２ ・・・・ 右カバーユニット
２５３ ・・・・ 左カバーユニット
２５４ ・・・・ 背面カバーユニット
２５５ ・・・・ 上面カバーユニット
２５６ ・・・・ 底面カバーユニット
２５７ ・・・・ ねじ穴
２５８ ・・・・ センサ基板
２５９ ・・・・ センサ放熱板
２６０ ・・・・ 放熱ゴム
２６９ａ、２６９ｂ、２６９ｃ ・・・・ 放熱板固定ビス
２７０ ・・・・ 撮像素子ユニット
２７１ ・・・・ 撮像面
２７２ ・・・・ 温度センサ
２８０ ・・・・ センサ保持部材
２９０ ・・・・ 電気通信ケーブル
３００ ・・・・ ファン
３０１ ・・・・ ファンダクトユニット
３０２ ・・・・ 右ダクト
３０３ ・・・・ 左ダクト
３０４ ・・・・ 左ダクトリア
３０５ ・・・・ ビス
３０６ ・・・・ ファンゴム
３０７ ・・・・ 左ダクトフィン
３０８ ・・・・ ファン組み込み部
３１０ ・・・・ 樹脂製のフレーム
３１２ ・・・・ ファンワイヤ
３１３ ・・・・ 羽根
３２０ ・・・・ マウントカバー
３５６ ・・・・ 三脚固定部
４００ ・・・・ メイン基板
４１０ ・・・・ サブ基板
５００ ・・・・ 保護ユニット
５０１ ・・・・ 測定器
５０２ａ〜５０２ｅ ・・・・ ＬＥＤ照射口
５０３ ・・・・ 測定部
５０４ ・・・・ 測定器電気通信接点部
５０５ａ、５０５ｂ、５０５ｃ、５０５ｄ ・・・・ 測定器当接面
５０６ａ、５０６ｂ、５０６ｃ、５０６ｄ、５０６e ・・・・ 測定ポイント
５１０ａ、５１０ｂ、５１０ｃ ・・・・ 調整位置表示
５１１ａ、５１１ｂ、５１１ｃ ・・・・ 第二調整位置表示
６００ ・・・・ カメラ電気通信接点部ユニット
６０１ ・・・・ ワイヤーカバー
８０１ ・・・・ 軸Ｆ  
８０２ ・・・・ フロントベース
８０３ａ、８０３ｂ、８０３ｃ ・・・・ センサ取り付け部
８０４ａ、８０４ｂ ・・・・ センサ位置決めボス
８０５ａ、８０５ｂ、８０５ｃ ・・・・ ネジ穴
８１３ａ、８１３ｂ、８１３ｃ ・・・・ コイルばね
８１４ａ、８１４ｂ、８１４ｃ ・・・・ センサ取付ねじ穴
８１５ ・・・・ フロントカバー
８２０ａ、８２０ｂ、８２０ｃ ・・・・ 凹形状
８２２ ・・・・ ばね当接面
８２３ ・・・・ フロント枠
８２８ ・・・・ 当接面
８３０ ・・・・ 回転角の指標
８５２ ・・・・ 正面側凹部
８５３ａ、８５３ｂ、８５３ｃ ・・・・ センサ取り付け腕部
８８３ａ、８８３ｂ、８８３ｃ ・・・・ センサ固定ビス
８８８ ・・・・ 角度を示す指標
８９５ ・・・・ スペーサ
８９６ ・・・・ 保持部材ビス固定部
９００ ・・・・ レンズ鏡筒
９０１ ・・・・ レンズメモリ
９１０ ・・・・ レンズ電気通信接点部
２２２ａ、２２２ｂ、２２２ｃ ・・・・ 調整ビス
１１００ ・・・・ 撮像装置本体
１２００ ・・・・ 正面カバーユニット
１２０１ ・・・・ 接点部
１２０２ ・・・・ マウント部
１２０３ａ〜１２０３ｂ ・・・・ マウントノブ
１２０４ａ〜１２０４ｅ ・・・・ マウントユニット締結部材
１２１１ａ〜１２１１ｃ ・・・・ 調整板接地面
１２１２ ・・・・ 調整板
１２１３ ・・・・ フロントベース
１２１８ ・・・・ マウントカバー
１２１９ ・・・・ 接点ユニット
１２２０ ・・・・ 本体接点部
１２２１ ・・・・ スライド脚部
１２２２ ・・・・ フロントベース位置決めボス
１２２３ ・・・・ レンズ通信ケーブル
１２２４ａ〜１２２４ｄ ・・・・ スライド規制部
１２２５ａ〜１２２５ｄ ・・・・ スライド脚摺動部
１２５０ ・・・・ マウントユニット
１２５１ ・・・・ マウントユニット位置決め孔
１２６０ ・・・・ ＮＤユニット
１３００ａ〜１３００ｃ ・・・・ 測距位置
１９００ ・・・・ レンズ鏡筒
１９０１ ・・・・ レンズ電気通信接点部
１９０２ ・・・・ レンズマウント面
【図１】
2019207367.tif 000003
【図２】
2019207367.tif 000004
【図３】
2019207367.tif 000005
【図４】
2019207367.tif 000006
【図５】
2019207367.tif 000007
【図６】
2019207367.tif 000008
【図７】
2019207367.tif 000009
【図８】
2019207367.tif 000010
【図９】
2019207367.tif 000011
【図１０】
2019207367.tif 000012
【図１１】
2019207367.tif 000013
【図１２】
2019207367.tif 000014
【図１３】
2019207367.tif 000015
【図１４】
2019207367.tif 000016
【図１５】
2019207367.tif 000017
【図１６】
2019207367.tif 000018
【図１７】
2019207367.tif 000019
【図１８】
2019207367.tif 000020
【図１９】
2019207367.tif 000021
【図２０】
2019207367.tif 000022
【図２１】
2019207367.tif 000023
【図２２】
2019207367.tif 000024
【図２３】
2019207367.tif 000025
【図２４】
2019207367.tif 000026
【図２５】
2019207367.tif 000027
【図２６】
2019207367.tif 000028
【図２７】
2019207367.tif 000029
【図２８】
2019207367.tif 000030
【図２９】
2019207367.tif 000031
【図３０】
2019207367.tif 000032
【図３１】
2019207367.tif 000033
【図３２】
2019207367.tif 000034
【図３３】
2019207367.tif 000035
【図３４】
2019207367.tif 000036
【図３５】
2019207367.tif 000037
【図３６】
2019207367.tif 000038
【図３７】
2019207367.tif 000039
【図３８】
2019207367.tif 000040
【図３９】
2019207367.tif 000041
【図４０】
2019207367.tif 000042
【図４１】
2019207367.tif 000043
【図４２】
2019207367.tif 000044
【図４３】
2019207367.tif 000045
【図４４】
2019207367.tif 000046
【図４５】
2019207367.tif 000047
【図４６】
2019207367.tif 000048
【図４７】
2019207367.tif 000049
【図４８】
2019207367.tif 000050
【図４９】
2019207367.tif 000051
【図５０】
2019207367.tif 000052